(57)【要約】【課題】基板の防犯性を高める。【解決手段】基板を収容する基板ボックスを備えており、この基板ボックスは第１構成部材及び第２構成部材によって構成される。第２構成部材には第１構成部材側と係止される係止部が設けられ、第１構成部材には第２構成部材の係止部と係止される被係止部が設けられている。そして、第２構成部材の係止部が第１構成部材の被係止部に係止することによって基板ボックスが構成される。基板ボックスが構成された場合、両係止部が当該基板ボックスの内側に配設されるように配置されている。【選択図】図１０
2016198210.tif 000002
【特許請求の範囲】
【請求項１】
基板を収容する基板ボックスを備える遊技機であって、
前記基板ボックスは、第１構成部材及び当該第１構成部材と連結される第２構成部材を有し、
前記第２構成部材には、前記第１構成部材側と係止される係止部が設けられ、
前記第１構成部材には、前記係止部と係止される被係止部が設けられ、
前記係止部と前記被係止部とが係止されることにより、当該第１構成部材と当該第２構成部材とが連結されて前記基板ボックスが構成され、
前記係止部及び前記被係止部は、前記基板ボックスが構成された場合に当該基板ボックスの内側に配設されるように配置されていることを特徴とする遊技機。
【請求項２】
前記係止部は係止爪を有し、前記被係止部は当該係止爪と係止される受け部を有し、
前記第２構成部材は、当該係止爪部分を成形する際に形成される抜き孔を有し、
前記第１構成部材は、前記基板ボックスが構成された場合に、前記係止部における前記係止爪が突出する側の側部に沿うように配設される突起部を有することを特徴とする請求項１に記載の遊技機。
【請求項３】
前記突起部は、前記受け部から前記抜き孔に向けて突出していることを特徴とする請求項２に記載の遊技機。
【請求項４】
前記突起部は、前記基板ボックスが構成された場合に前記抜き孔を塞ぐように構成されていることを特徴とする請求項２又は３に記載の遊技機。
【請求項５】
前記第１構成部材の一端には前記被係止部が設けられ、他端には前記第２構成部材側と係合する第１係合部が設けられ、
前記第２構成部材の一端には前記係止部が設けられ、他端には前記第１構成部材側と係合する第２係合部が設けられ、
前記第１係合部と前記第２係合部とが係合された場合には、前記第１構成部材と前記第２構成部材とが相互に回動可能に連結されるとともに、回動軸方向の位置決めがされることを特徴とする請求項１乃至４のいずれかに記載の遊技機。
【請求項６】
前記係止部は係止爪を有し、前記被係止部は当該係止爪と係止される受け部を有し、
前記係止部における前記係止爪は回動軸方向に突出していることを特徴とする請求項５に記載の遊技機。
【請求項７】
前記係止部は、先端の径方向外側部分が面取りされていることを特徴とする請求項６に記載の遊技機。
【請求項８】
前記第２構成部材は、板状のベース部を有し、
前記係止部は当該ベース部の面から突出しており、
前記係止部は、前記基板の前記ベース部側への変位を規制するベース部側規制部を有していることを特徴とする請求項１乃至７のいずれかに記載の遊技機。
【発明の詳細な説明】
【技術分野】
【０００１】
本発明は、遊技機に関するものである。
【背景技術】
【０００２】
パチンコ機等の遊技機では、遊技を制御する制御基板と、各種電気部品とが、中継基板を介して接続されているものがある。この中継基板は、基板ボックスに収容された状態で遊技盤に取り付けられる。基板ボックスとしては、例えば中継基板を複数の部材で挟み込み、当該複数の部材を連結させることにより構成されるものがある（特許文献１参照）。特許文献１では、一方の部材には周縁部に溝が形成され、他方の部材にはその溝に係止される係止爪が形成されており、この係止爪を溝に引っかけることで係止され、さらに両部材がネジ止めによって固定されるようになっている。また、ネジ止めには、螺合によって締結させた後さらに大きいトルクで回転させると破断する破断部を備えた破断ネジやワンウェイネジ等が用いられている。このため、ネジを取り外すことにより分解することが困難とされている。ゆえに、痕跡が残らないように、中継基板を別の不正な基板に取り換えるような不正行為を抑制することができるようになっている。
【先行技術文献】
【特許文献】
【０００３】
【特許文献１】特開２０１２−１４３６５７号公報
【発明の概要】
【発明が解決しようとする課題】
【０００４】
ところが、ネジ止めする構成においてはネジのコストが余分にかかるだけでなく、ネジ止めする工程が煩わしいという問題があった。他方、ネジ止めをしない場合には、ネジのコストを削減し、ネジ止めする工程を省略することが可能となるものの、係止爪を他方の部材の周縁部に引っかけるだけでは係止爪をはがすようにして基板ボックスを分解することが容易であるだけでなく、このように分解された場合にはその痕跡も残りにくい。このため、痕跡が残らないように、中継基板を別の不正な基板に取り換えられるような不正行為が懸念される。
【０００５】
また、このような問題は中継基板に限らず、基板ボックスに収容される別の基板についても同様に生じる。
【０００６】
本発明は、上記例示した事情等に鑑みてなされたものであり、基板の防犯性を高めることを目的とするものである。
【課題を解決するための手段】
【０００７】
請求項１に記載の発明は、
基板を収容する基板ボックスを備える遊技機であって、
前記基板ボックスは、第１構成部材及び当該第１構成部材と連結される第２構成部材を有し、
前記第２構成部材には、前記第１構成部材側と係止される係止部が設けられ、
前記第１構成部材には、前記係止部と係止される被係止部が設けられ、
前記係止部と前記被係止部とが係止されることにより、当該第１構成部材と当該第２構成部材とが連結されて前記基板ボックスが構成され、
前記係止部及び前記被係止部は、前記基板ボックスが構成された場合に当該基板ボックスの内側に配設されるように配置されていることを特徴とする。
【発明の効果】
【０００８】
本発明によれば、基板の防犯性を高めることができる。
【図面の簡単な説明】
【０００９】
【図１】パチンコ機を示す斜視図である。
【図２】パチンコ機の主要な構成を分解して示す斜視図である。
【図３】内枠の構成を示す正面図である。
【図４】遊技盤の構成を示す正面図である。
【図５】内枠の構成を示す背面図である。
【図６】遊技盤の背面構成を示す斜視図である。
【図７】主制御装置ユニットを取り外した状態を示す遊技盤の背面図である。
【図８】裏パックユニットの構成を示す正面図である。
【図９】パチンコ機の電気的構成を示すブロック図である。
【図１０】（ａ）は中継装置を正面側から見た斜視図であり、（ｂ）は中継装置の主要な構成を分解して示す斜視図である。
【図１１】（ａ）は背面側ケース体の正面図であり、（ｂ）は正面側ケース体の正面図であり、（ｃ）は正面側ケース体の平面図である。
【図１２】（ａ）は正面側ケース体と背面側ケース体とが連結された状態における正面図であり、（ｂ）は中継装置の正面図である。
【図１３】（ａ）は係合片及びその周辺を示す断面図であり、（ｂ）は係止片の成形方法を示す図であり、（ｃ）は係止片の成形方法の別例を示す図である。
【図１４】図１２（ｂ）におけるＡ−Ａ線分断面図である。
【図１５】（ａ）は第２の実施形態における中継装置を正面側から見た斜視図であり、（ｂ）は第２の実施形態における正面側ケース体の正面図であり、（ｃ）は第２の実施形態における背面側ケース体の正面図である。
【図１６】正面側ケース体と背面側ケース体とが係合されている状態における斜視図である。
【図１７】（ａ）は第３の実施形態における中継装置を正面側から見た斜視図であり、（ｂ）は第３の実施形態における中継装置の主要な構成を分解して示す斜視図である。
【図１８】（ａ）は第３の実施形態におけるカバー部材の背面図であり、（ｂ）は第３の実施形態におけるカバー部材の平面図である。
【図１９】（ａ）は第３の実施形態における台座の正面図であり、（ｂ）は第３の実施形態における台座の底面図である。
【発明を実施するための形態】
【００１０】
＜第１の実施形態＞
以下、遊技機の一種であるパチンコ遊技機（以下、「パチンコ機」という）の一実施の形態を、図面に基づいて詳細に説明する。図１はパチンコ機１０を正面側から見た斜視図であり、図２はパチンコ機１０の主要な構成を分解して示す斜視図である。なお、図２では便宜上パチンコ機１０における遊技領域内の構成を省略している。
【００１１】
図１に示すように、パチンコ機１０は、当該パチンコ機１０の外殻を形成する外枠１１と、この外枠１１に取り付けられた遊技機主部１２とを有している。
【００１２】
外枠１１は木製又は金属製の板材を四辺に連結し構成されるものであって矩形枠状をなしている。外枠１１を島設備に取り付け固定することにより、パチンコ機１０が遊技ホールに設置される。なお、パチンコ機１０において外枠１１は必須の構成ではなく、遊技場の島設備に外枠１１が備え付けられた構成としてもよい。
【００１３】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１４】
図２に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。詳細には、正面視で左側を回動基端側とし右側を回動先端側として内枠１３が前方へ回動可能とされている。
【００１５】
内枠１３には、前扉枠１４が回動可能に支持されており、正面視で左側を回動基端側とし右側を回動先端側として前方へ回動可能とされている。また、内枠１３には、裏パックユニット１５が回動可能に支持されており、正面視で左側を回動基端側とし右側を回動先端側として後方へ回動可能とされている。
【００１６】
次に、前扉枠１４について説明する。図１に示すように前扉枠１４は外形が外枠１１とほぼ同一形状をなす合成樹脂製の枠体２０（図２参照）を主体に構成されており、内枠１３における前面のほぼ全域を覆っている。枠体２０の中央部分には後述する遊技領域ＰＥのほぼ全域を前方から視認することができるようにした略楕円状の窓部２１が形成されており、その窓部２１はガラスユニット２２によって同前扉枠１４の背面側から塞がれている。
【００１７】
ガラスユニット２２は、透過性を有する複数のガラスパネル２３と、それらガラスパネル２３を保持するガラスホルダとを備えている。ガラスホルダには、ガラスパネル２３の保持領域を前後に仕切る仕切り部が形成されており、両ガラスパネル２３は仕切り部を挟んで前後に相対向している。つまり、両ガラスパネル２３の間に所定の隙間を確保することにより、ガラスパネル２３同士の干渉を回避しつつ、それらガラスパネル２３によって遊技領域ＰＥをパチンコ機１０の正面側から２重に覆った状態となっている。
【００１８】
なお、必ずしも両ガラスパネル２３をガラスホルダを用いてユニット化する必要は無く、各ガラスパネル２３を枠体２０に対して個々に取り付ける構成としてもよい。更には、ガラスパネルの枚数は任意であり、１枚としてもよいし、３枚以上としてもよい。但し、安全性及び防犯性向上の観点から、複数のガラスパネルを採用し、それら各ガラスパネルを所定の隙間を挟んで前後に対向させることが好ましい。因みに、ガラスパネルに代えて透過性を有する合成樹脂性のパネル部材を採用することも可能である。
【００１９】
ガラスユニット２２（詳しくは窓部２１）の周囲には、各種ランプ等の発光手段が設けられている。例えば、窓部２１の周縁に沿ってＬＥＤ等の発光手段を内蔵した環状電飾部２６が設けられている。環状電飾部２６では、大当たり時や所定のリーチ時等における遊技状態の変化に応じて点灯や点滅が行われる。また、環状電飾部２６の中央であってパチンコ機１０の最上部には所定のエラー時に点灯するエラー表示ランプ部２７が設けられ、さらにその左右側方には賞球払出中に点灯する賞球ランプ部２８が設けられている。また、左右の賞球ランプ部２８に近接した位置には、遊技状態に応じた効果音などが出力されるスピーカ部２９が設けられている。
【００２０】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００２１】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００２２】
前扉枠１４の背面には、通路形成ユニットが取り付けられている。通路形成ユニットは、合成樹脂により成形されており、上皿３３に通じる前扉側上皿通路と、下皿３４に通じる前扉側下皿通路とが形成されている。通路形成ユニットにおいて、その上側隅部には後方に突出し上方に開放された受口部が形成されており、当該受口部を仕切壁によって左右に仕切ることで前扉側上皿通路の入口部分と前扉側下皿通路の入口部分とが区画形成されている。前扉側上皿通路及び前扉側下皿通路は上流側が後述する遊技球分配部に通じており、前扉側上皿通路に入った遊技球は上皿３３に導かれ、前扉側下皿通路に入った遊技球は下皿３４に導かれる。
【００２３】
前扉枠１４の背面における回動基端側には、その上端部及び下端部に突起軸が設けられている。これら突起軸は内枠１３に対する組付機構を構成する。また、前扉枠１４の背面における回動先端側には、図２に示すように、後方に延びる鉤金具６３が上下方向に複数並設されている。これら鉤金具６３は内枠１３に対する施錠機構を構成する。
【００２４】
次に、図３に基づき内枠１３について詳細に説明する。図３は内枠１３の正面図である。なお、図３においては図２と同様に便宜上パチンコ機１０の遊技領域ＰＥ内の構成を省略している。
【００２５】
内枠１３は、外形が外枠１１と同様に略矩形状をなす樹脂ベース７０を主体に構成されている。樹脂ベース７０の高さ寸法は、外枠１１の高さ寸法よりも若干小さく設定されている。また、樹脂ベース７０は外枠１１の上側枠部に寄せて配置され、外枠１１の下側枠部と樹脂ベース７０との間には若干の隙間が形成されている。外枠１１にはこの隙間を塞ぐようにして幕板が装着されている。幕板は、樹脂ベース７０（詳しくはその下端部）の下方に配置されており、内枠１３が外枠１１に対して閉じられた状態では樹脂ベース７０が幕板の上に載ることとなる。なお、幕板と樹脂ベース７０との間に若干のクリアランスを設けてもよい。
【００２６】
樹脂ベース７０の前面における回動基端側（図３の左側）には、その上端部及び下端部に支持金具７１，７２が取り付けられている。図示は省略するが、支持金具７１，７２には軸孔が形成されており、それら軸孔に前扉枠１４の突起軸が挿入されることにより、内枠１３に対して前扉枠１４が回動可能に支持されている。
【００２７】
樹脂ベース７０の前面における回動先端側（図３の右側）には、前扉枠１４の背面に設けられた鉤金具６３（図２参照）を挿入するための挿入孔７３がそれぞれ設けられている。本パチンコ機１０では、内枠１３や前扉枠１４を施錠状態とするための施錠装置７５が内枠１３の背面側に隠れて配置される構成となっている。したがって、鉤金具６３が挿入孔７３を介して施錠装置７５（詳しくは前扉用鉤受け部材７６）に係止されることによって、前扉枠１４が内枠１３に対して開放不能に施錠される。また、施錠装置７５は、内枠１３の後方へ延びる内枠用鉤部材７７を有している。これら内枠用鉤部材７７が外枠１１の鉤受け部材に引っ掛かることにより遊技機主部１２が外枠１１に対して閉じた状態で施錠される。
【００２８】
樹脂ベース７０の右下隅部には、施錠装置７５の解錠操作を行うためのシリンダ錠７８が設置されている。シリンダ錠７８は施錠装置７５に一体化されており、シリンダ錠７８の鍵穴に差し込んだキーを右に回すと前扉枠１４が内枠１３に対して解錠され、シリンダ錠７８の鍵穴に差し込んだキーを左に回すと遊技機主部１２が外枠１１に対して解錠されるように施錠装置７５が構成されている。
【００２９】
また、樹脂ベース７０において施錠装置７５と横並びとなる位置（内枠１３の回動先端部）には、前扉枠１４の開放を検知する開放検知センサ７９ａ（詳しくはプッシュセンサ）が設けられている。開放検知センサ７９ａは後述する主制御装置１６２に対して電気的に接続されており、主制御装置１６２においては当該開放検知センサ７９ａからの検知信号（検知情報）に基づいて前扉枠１４が開放されているか否かを把握することが可能となっている。
【００３０】
樹脂ベース７０の中央部には略楕円形状の窓孔７４が形成され、樹脂ベース７０に装着された遊技盤８０によって同窓孔７４が後方から塞がれている。遊技盤８０は、木製の合板と同合板における前側の板面を覆うシート材とを有してなり、その前面が上記窓孔７４を通じて樹脂ベース７０の正面側に露出している。この露出している部位、すなわち遊技盤８０の前面には、遊技球が流下する遊技領域ＰＥが形成されている。既に説明したように遊技領域ＰＥはガラスユニット２２（詳しくは後側のガラスパネル２３）によって覆われている。ガラスユニット２２は、後側のガラスパネル２３と遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるものではなく、合成樹脂製とすることも可能である。また、遊技盤を透明として当該遊技盤を通じてその背面側を視認可能とする場合には、遊技盤の前面に配設された各種装飾を遊技盤の背面側に配置する構成とすることにより、遊技機の見栄えの向上に貢献できる。
【００３１】
遊技盤８０には、内レール１０１と外レール１０２とが取り付けられており、これら内レール１０１と外レール１０２とにより誘導レール１００が構成され、遊技球発射機構１１０から発射された遊技球が遊技領域ＰＥの上部に案内されるようになっている。遊技球発射機構１１０は、図２に示すように、樹脂ベース７０における収容凹部の下方に取り付けられており、誘導レール１００に向けて延びる発射レール１１２と、上皿３３に貯留されている遊技球を発射レール１１１上に供給する球送装置１１３と、発射レール１１２上に供給された遊技球を誘導レール１００に向けて発射させる電動アクチュエータであるソレノイド１１１と、これらを固定するベース部材１１４と、を備えている。前扉枠１４に設けられた遊技球発射ハンドル４１が操作されることによりソレノイド１１１が駆動制御され、遊技球が発射される。
【００３２】
図３に示すように、誘導レール１００及び発射レール１１２は、同誘導レール１００の入口部分と発射レール１１２の先端部分とが遊技盤８０の下端縁を挟んで斜めに対峙するように配置されている。つまり、それら両レール１００，１１２は、同誘導レール１００の入口部分と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分と発射レール１１２との間には所定間隔の隙間を形成している。
【００３３】
このようにして形成された隙間よりも下側にはファール球通路が配設されている。ファール球通路は前扉枠１４の通路形成ユニットに一体成形されている。仮に遊技球発射機構１１０から発射された遊技球が遊技領域ＰＥまで至らずファール球として誘導通路１０３内を逆戻りする場合には、それらファール球が上記隙間を介してファール球通路内に入ることとなる。ファール球通路は前扉側下皿通路に通じており、ファール球通路に入った遊技球は図１に示した下皿３４に排出される。これにより、ファール球と次に発射される遊技球との干渉が抑制される。
【００３４】
樹脂ベース７０において発射レール１１２の左方（詳しくは前扉枠１４を支持している側）には樹脂ベース７０を前後方向に貫通する貫通孔が形成されており、この貫通孔に通路形成部材１２１が配設されている。通路形成部材１２１は、樹脂ベース７０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニットの受口部が入り込んでおり、本体側上皿通路１２２の下方には前扉側上皿通路が配置され、本体側下皿通路１２３の下方には前扉側上皿通路が配置されている。
【００３５】
樹脂ベース７０において通路形成部材１２１の下方には、本体側上皿通路１２２及び本体側下皿通路１２３を開閉する開閉部材１２４が取り付けられている。開閉部材１２４はその下端に設けられた支軸により前後方向に回動可能に支持されており、さらに本体側上皿通路１２２及び本体側下皿通路１２３を閉鎖する前方位置に付勢する付勢部材が設けられている。従って、前扉枠１４を内枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニットに設けられた受口部により付勢力に抗して開閉部材１２４が押し開けられる。この状態では、本体側上皿通路１２２と前扉側上皿通路とが連通し、さらに本体側下皿通路１２３と前扉側下皿通路とが連通している。
【００３６】
以下、図４に基づき遊技盤８０（特に遊技領域ＰＥに配された各種構成）について説明する。図４は遊技盤８０の正面図である。
【００３７】
遊技盤８０には、ルータ加工が施されることによって自身の厚さ方向（前後方向）に貫通する大小複数の開口が形成されている。各開口には、一般入賞口８１、可変入賞装置８２、第１作動口８４、第２作動口８５、スルーゲート８６、特図表示部８７、普図表示部８８及び可変表示ユニット８９等がそれぞれ配設されている。
【００３８】
一般入賞口８１、可変入賞装置８２、第１作動口８４、又は第２作動口８５に遊技球が入ると、それら遊技球が後述する検知センサにより検知され、その検知結果に基づいて所定数の賞球の払い出し等の特典が遊技者に付与される。具体的には、第１作動口８４への入球が発生した場合又は第２作動口８５への入球が発生した場合には３個の遊技球の払出が実行され、一般入賞口８１への入球が発生した場合には１０個の遊技球の払出が実行され、可変入賞装置８２への入球が発生した場合には１５個の遊技球の払出が実行される。
【００３９】
なお、遊技球の払出個数は上記のものに限定されることはない。例えば、第１作動口８４と第２作動口８５とで払出個数が同一となっているが、第２作動口８５の方が第１作動口８４よりも払出個数が少ない構成としてもよく、第２作動口８５の方が第１作動口８４よりも払出個数が多い構成としてもよい。
【００４０】
その他に、遊技盤８０の最下部にはアウト口９０が設けられており、各種入賞口等に入らなかった遊技球はアウト口９０を通って遊技領域ＰＥから排出される。また、遊技盤８０には、遊技球の流下経路を適宜分散，調整等するために多数の釘９１が植設されているとともに、風車等の各種部材（役物）が配設されている。
【００４１】
ここで入球とは、所定の開口部を遊技球が通過することを意味し、開口部を通過した後に遊技領域ＰＥから排出される態様だけでなく、開口部を通過した後に遊技領域ＰＥから排出されることなく遊技領域ＰＥの流下を継続する態様も含まれる。但し、以下の説明では、アウト口９０への遊技球の入球と明確に区別するために、一般入賞口８１、可変入賞装置８２、第１作動口８４、第２作動口８５、及びスルーゲート８６への遊技球の入球を、入賞とも表現する。
【００４２】
遊技盤８０の中央には上記可変表示ユニット８９が配されており、この可変表示ユニット８９の下方には第１作動口８４や第２作動口８５等が上下に並べて配設されている。より具体的には、上側に第１作動口８４が配設され、第１作動口８４の直下に第２作動口８５が配設されている。特に第２作動口（抽選契機入球部）８５には、開閉式の入球補助装置（入球補助手段）又は開閉部材（開閉手段）としての電動役物８５ａが設けられている。電動役物８５ａは、遊技盤８０の背面側に設けられたソレノイド式の電動役物駆動部８５ｂに連結されており、電動役物８５ａを駆動させることで第２作動口８５への入球が可能又は容易となる開放状態（補助状態）と、同入球が不可又は困難となる閉鎖状態（非補助状態）とに切替可能となっている。
【００４３】
可変表示ユニット８９の両側には上記スルーゲート８６が配置されており、遊技球のスルーゲート８６の通過をトリガとした抽選にて当選となった場合には、電動役物８５ａが所定時間だけ閉鎖状態から開放状態に切り替えられることとなる。
【００４４】
第１作動口８４及び第２作動口８５の下方には、可変入賞装置（特別入球装置又は特別入球手段）８２が配設されている。
【００４５】
可変入賞装置８２は、遊技盤８０の背面側へと通じる大入賞口８２ａを備えているとともに、当該大入賞口８２ａを開閉する開閉部材（開閉手段）としての開閉扉８２ｂを備えている。開閉扉８２ｂは、遊技球の入球が可能又は容易となる開放状態（補助状態）と、同入球が不可又は困難となる閉鎖状態（非補助状態）とに切替可能となっている。また、同開閉扉８２ｂは、遊技盤８０の背面側に設けられた可変入賞駆動部８２ｃ（詳しくはソレノイド）と連結されており、通常遊技状態において開閉扉８２ｂは閉鎖状態のまま維持され、内部抽選において開閉実行モード（特別遊技状態）への移行に当選した場合に（大当たりに当選した場合に）開放状態に切り替えられるようになっている。
【００４６】
ここで、開閉実行モードとは、大当たり当選となった場合に移行することとなるモードである。当該開閉実行モードにおける可変入賞装置８２の開放態様としては、例えば所定時間（例えば３０ｓｅｃ）の経過又は所定個数（例えば１０個）の入賞を１ラウンドとして、複数ラウンド（例えば１６ラウンド）を上限とした開閉扉８２ｂ等の開放が繰り返されるように設定されている。
【００４７】
特図表示部８７は、後述する主制御装置１６２に電気的に接続されており、表示内容は当該主制御装置１６２によって制御される構成となっている。
【００４８】
特図表示部８７は、第１作動口８４又は第２作動口８５への入賞に応じて実行される内部抽選の結果を表示するものである。特図表示部８７には、赤、緑、青の３色発光タイプのＬＥＤランプが複数（本実施形態では４つ）配設されている。各ＬＥＤは、それぞれ個別にオンオフ制御が可能であるとともに、それぞれ個別に各発光色に切り替えることが可能となっている。特図表示部８７では、第１作動口８４又は第２作動口８５への入賞をトリガとして各ＬＥＤのオンオフ制御及び発光色の切り替えが行われ、その停止結果として、第１作動口８４又は第２作動口８５への入賞に応じて実行された内部抽選の結果が各ＬＥＤのオンオフ制御及び発光色によって表示される。このように、特図表示部８７は、内部抽選の結果との関係で各ＬＥＤの発光態様が一義的に定められる一方で、数字や文字等により内部抽選の結果を示す構成と比較して、内部抽選の結果を識別しにくいものとなっている。第１作動口８４又は第２作動口８５への入賞に基づく内部抽選の結果が開閉実行モードへの移行に対応した大当たり結果であった場合には、特図表示部８７にて変動表示が停止され、停止結果として所定の絵柄が表示された後に、上記開閉実行モードへ移行される。
【００４９】
また、特図表示部８７において各ＬＥＤのオンオフ制御及び発光色による内部抽選の結果の表示は、その後に内部抽選が実行されるまでは継続され、少なくとも開閉実行モード中は当該開閉実行モードの契機となった結果の表示が継続される。
【００５０】
なお、特図表示部８７は、複数のセグメント発光部が所定の態様で配列されてなるセグメント表示器により構成されているが、これに限定されることはなく、液晶表示装置、有機ＥＬ表示装置、ＣＲＴ又はドットマトリックス表示器等その他のタイプの表示装置によって構成されていてもよい。また、特図表示部８７にて変動表示される絵柄としては、複数種の文字が変動表示される構成、複数種の記号が変動表示される構成、複数種のキャラクタが変動表示される構成又は複数種の色が切り換え表示される構成などが考えられる。但し、第１作動口８４又は第２作動口８５への入賞に基づく内部抽選の結果が開閉実行モードへの移行に対応した大当たり結果であった場合に、複数種類用意されている開閉実行モードのうちいずれの開閉実行モードであるかが識別困難であることが好ましい。また、特図表示部８７の前方に遮蔽部材を設け、特図表示部８７を視認困難又は視認不可能に構成しても良い。
【００５１】
特図表示部８７に隣接した位置には、特図表示部８７に対応した特図保留表示部９３が設けられている。特図保留表示部９３は後述する音声発光制御装置１６３に電気的に接続されており、表示内容は当該音声発光制御装置１６３によって制御される構成となっている。特図保留表示部９３には、４つのＬＥＤランプが配設されている。遊技球が第１作動口８４又は第２作動口８５を通過した回数は最大４回まで保留され、特図保留表示部９３の点灯によってその保留数が表示されるようになっている。なお、特図保留表示部９３を特図表示部８７のように点灯及び消灯と発光色との組み合わせにより保留数を表示する構成としてもよく、異なる態様で保留数を識別しにくいものとしてもよい。
【００５２】
なお、特図保留表示部９３は、２色発光タイプのＬＥＤランプにより構成されているが、これに限定されることはなく、セグメント表示、液晶表示装置、有機ＥＬ表示装置、ＣＲＴ、ドットマトリックス等その他のタイプの表示装置によって構成されていてもよい。また、特図保留表示部９３の機能が図柄表示装置９５の一部の領域における表示により果たされる構成としてもよい。
【００５３】
普図表示部８８は、後述する主制御装置に電気的に接続されており、表示内容は当該主制御装置によって制御される構成となっている。
【００５４】
普図表示部８８は、スルーゲート８６への入賞に基づいた抽選結果を表示するものである。普図表示部８８では、スルーゲート８６への入賞をトリガとして絵柄の変動表示が行われ、その変動表示の停止結果として、スルーゲート８６への入賞に基づいて行われた内部抽選の結果が表示によって明示される。スルーゲート８６への入賞に基づく内部抽選の結果が電役開放状態への移行に対応した当選結果であった場合には、普図表示部８８にて所定の停止結果が表示されて変動表示が停止された後に、電役開放状態へ移行する。電役開放状態では、第２作動口８５に設けられた電動役物８５ａが所定の態様で開放状態となる。
【００５５】
普図表示部８８に隣接した位置には、普図表示部８８に対応する普図保留表示部９４が設けられている。普図保留表示部９４は後述する音声発光制御装置１６３に電気的に接続されており、表示内容は当該音声発光制御装置１６３によって制御される構成となっている。普図保留表示部９４には、４つのＬＥＤランプが配設されている。遊技球がスルーゲート８６を通過した回数は最大４回まで保留され、普図保留表示部９４の点灯によってその保留数が表示されるようになっている。なお、普図保留表示部９４を特図表示部８７のように点灯及び消灯と発光色との組み合わせにより保留数を表示する構成としてもよく、異なる態様で保留数を識別しにくいものとしてもよい。
【００５６】
次に、可変表示ユニット８９について説明する。可変表示ユニット８９は、第１作動口８４又は第２作動口８５への入賞をトリガとして図柄を可変表示（変動表示）する図柄表示装置９５を有している。
【００５７】
図柄表示装置９５は、液晶ディスプレイを備えた液晶表示装置として構成されており、後述する表示制御装置によりその表示内容が制御される。図柄表示装置９５には、例えば上、中及び下に並べて図柄が表示され、これらの図柄が左右方向にスクロールされるようにして変動表示されるようになっている。この図柄の変動表示は、第１作動口８４又は第２作動口８５への入賞をトリガとして行われる特図表示部８７での絵柄の変動表示に合わせて行われる。そして、内部抽選の結果が大当たり結果であった場合には、予め設定されている有効ライン上に所定の組み合わせの図柄が停止表示され、上記開閉実行モード（特別遊技状態又は大当たり）に移行することとなる。
【００５８】
ここで、本実施形態では第１作動口８４又は第２作動口８５への入賞をトリガとして、特別遊技状態に移行し得るため、遊技者は第１作動口８４又は第２作動口８５に入賞するか否かに注目するとともに、特別遊技状態に移行するか否かを把握するため図柄表示装置９５に注目するものと考えられる。そこで、遊技者が注目したい箇所を可変表示ユニット８９周辺に集中させるため、第１作動口８４及び第２作動口８５は、可変表示ユニット８９寄りとなる位置に配置されている。
【００５９】
なお、図柄表示装置９５については必ずしも液晶表示装置である必要はなく、ドットマトリクスや７セグタイプの表示装置であってもよい。
【００６０】
遊技盤８０は、可変表示ユニット８９（図柄表示装置９５）を囲むようにして配設されたセンターフレーム９７を備えている。センターフレーム９７は、遊技盤８０（板体８０ａ）に対してその前面側から固定されており、このように固定された状態では遊技盤８０の前面から起立した状態となることで当該センターフレーム９７と上記ガラスユニット２２との間の隙間寸法が遊技球の直径寸法よりも小さくなるように構成されている。これにより、遊技領域ＰＥを流下する遊技球が図柄表示装置９５に衝突することが回避されている。
【００６１】
また、遊技盤８０には、各種ランプ等の電飾装置が設けられている。例えば、センターフレーム９７の周縁には盤面電飾部９８が設けられている。これら電飾装置は、主として大当たり時や所定のリーチ時等における遊技状態の変化に応じて発光態様が変更制御され、点灯、点滅等して遊技中の演出効果を高める役割を果たすものである。
【００６２】
次に、図５に基づき内枠１３（樹脂ベース７０及び遊技盤８０）の背面構成について説明する。図５は内枠１３の背面図である。
【００６３】
樹脂ベース７０の背面における回動基端側（図５の右側）には、軸受け金具１３２が上下に並設されている。軸受け金具１３２には、上下に離間させて軸受け部が形成されており、これら軸受け部により内枠１３に対して裏パックユニット１５が回動可能に取り付けられている。
【００６４】
樹脂ベース７０の背面には、係止金具１３５が複数設けられており、これら係止金具１３５によって上述したように樹脂ベース７０に対して遊技盤８０が取り付けられている。ここで、図６及び図７を参照して遊技盤８０の背面の構成を説明する。
【００６５】
図６は遊技盤８０を遊技機後方から見た斜視図である。
【００６６】
遊技盤８０の背面では、遊技盤８０の中央に配置される可変表示ユニット８９及びセンターフレーム９７を背後から覆う合成樹脂製のフレームカバー１４１が後方に突出させて設けられている。さらに、フレームカバー１４１に対して背面側から上述した図柄表示装置９５が取り付けられるとともに、その図柄表示装置９５を駆動するための表示制御装置が取り付けられている（図示は省略）。これら図柄表示装置９５及び表示制御装置は前後方向に重ねて配置され（図柄表示装置が前、表示制御装置が後）、さらにその後方に音声発光制御装置ユニット１４２が搭載されている。音声発光制御装置ユニット１４２は、音声発光制御装置１４３と、取付台１４４とを具備する構成となっており、取付台１４４上に音声発光制御装置１４３が装着されている。
【００６７】
音声発光制御装置１４３は、後述する主制御装置１６２からの指示に従い音声やランプ表示、及び表示制御装置の制御を司る音声発光制御基板を具備しており、音声発光制御基板が透明樹脂材料等よりなる基板ボックス１４５に収容されて構成されている。
【００６８】
可変表示ユニット８９の下方には、集合板ユニット１５０が設けられている。集合板ユニット１５０は遊技盤８０に固定されており、同集合板ユニット１５０には当該集合板ユニット１５０を後方から覆うようにして主制御装置ユニット１６０が搭載されている。なお、主制御装置ユニット１６０の搭載対象は、集合板ユニット１５０に限定されるものではない。例えば、主制御装置ユニット１６０を遊技盤８０に対して直に搭載することも可能である。
【００６９】
主制御装置ユニット１６０は、合成樹脂を用いて形成された無色透明な取付台１６１と、同取付台１６１に搭載された主制御装置１６２とによって構成されている。取付台１６１は、集合板ユニット１５０によって回動可能に支持されている。これにより、取付台１６１ごと主制御装置ユニット１６０を回動させることで同取付台１６１から主制御装置１６２を取り外すことなく目視による確認作業が可能となっている。
【００７０】
主制御装置１６２は、遊技の主たる制御を司る機能（主制御回路）と、電源を監視する機能（停電監視回路）とを有する主制御基板１７１を具備しており、当該主制御基板１７１が透明樹脂材料等よりなる基板ボックス１６３に収容されて構成されている。
【００７１】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【００７２】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板１７１の不具合発生の際や主制御基板１７１の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板１７１を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【００７３】
基板ボックス１６３の一方の短辺部には、その側方に突出するようにして複数の結合片が設けられている。これら結合片は、取付台１６１に形成された複数の被結合片と１対１で対応しており、結合片と被結合片とにより基板ボックス１６３と取付台１６１との間で封印処理が行われる。
【００７４】
また、樹脂ベース７０の背面において施錠装置７５と横並びとなる位置（内枠１３の回動先端部）には、内枠１３（遊技機主部１２）の開放を検知する開放検知センサ７９ｂ（詳しくはプッシュセンサ）が設けられている。開放検知センサ７９ｂは主制御装置１６２に対して電気的に接続されており、主制御装置１６２においては当該開放検知センサ７９ａからの検知信号（検知情報）に基づいて内枠１３が開放されているか否かを把握することが可能となっている。
【００７５】
続いて、図７に基づき遊技盤８０の背面について説明する。図７は遊技盤８０から主制御装置ユニット１６０を取り外した状態を示す背面図である。
【００７６】
主制御装置ユニット１６０を取り外した状態では、上述した集合板ユニット１５０の背面が露出する。この集合板ユニット１５０には、一般入賞口８１、可変入賞装置８２、両作動口８４，８５等を介して遊技盤８０の背面側に移動した遊技球を回収する回収通路が形成されている。一般入賞口８１、可変入賞装置８２、両作動口８４，８５等を介して入球した遊技球は回収通路を介して遊技盤８０の下方に集合する。回収通路を通じて下方に集合した遊技球は、遊技球を遊技機外部に排出する排出通路へ送出される。なお、アウト口９０も同様に排出通路に通じている。このため、アウト口９０に入球した遊技球、つまり、いずれの入賞口にも入賞しなかった遊技球も排出通路へ送出される。
【００７７】
回収通路において各一般入賞口８１と対応する位置には、それぞれ一般入賞口用の入賞検知センサ８１ａが設けられ、可変入賞装置８２と対応する位置には、可変入賞装置用の入賞検知センサ８２ａが設けられ、両作動口８４，８５等と対応する位置には、作動口用の入賞検知センサ８４ａ，８５ａが設けられている。スルーゲート８６は、当該スルーゲート８６を通過する遊技球を検知するスルーゲート用の入賞検知センサ８６ａを備えている。これら各入賞検知センサ８１ａ，８２ａ，８４ａ，８５ａ，８６ａにより遊技球の入賞がそれぞれ検知される。ちなみに、各検知センサは、対応する検知領域を遊技球が通過した場合に生じる磁場の変化を把握する磁気センサである。
【００７８】
各入賞検知センサ８１ａ，８２ａ，８４ａ，８５ａ，８６ａは配線を通じて両作動口８４，８５の裏側に設けられた中継装置３００に接続されている。この中継装置３００は集合板ユニット１５０に対してネジ止めによって固定されている。中継装置３００は主制御装置１６２と電気的に接続されており、各入賞検知センサ８１ａ，８２ａ，８４ａ，８５ａ，８６ａによる検知結果は中継装置３００を介して主制御装置１６２に出力される。
【００７９】
各入賞検知センサ８１ａ，８２ａ，８４ａ，８５ａ，８６ａ及び主制御装置１６２等の各種機器と中継装置３００との接続に係る構成について、具体的には、パチンコ機１０は、中継装置３００が備える中継基板３０１と各種機器とを接続するものであって、複数の配線を有するワイヤーハーネス（以降単にハーネスという）を備えている。ハーネスの端部にはハーネス側コネクタが設けられており、当該ハーネス側コネクタに対応させて、中継基板３０１には上記ハーネス側コネクタと接続可能な基板側コネクタ３０２が複数設けられている。基板側コネクタ３０２に対してハーネス側コネクタを差し込むことによって、中継基板３０１と各種機器とが接続される。
【００８０】
各コネクタは、配線の本数に対応させて多数のピンを有しており、各配線及び各ピンを介して中継基板３０１及び各種機器間で複数種類の信号及び電力のやり取りを並列して行うことができる。これらの詳細な説明については後述する。
【００８１】
次に、図２及び図８に基づき裏パックユニット１５について説明する。図８は裏パックユニット１５の正面図である。
【００８２】
既に説明したように内枠１３は裏パックユニット１５によって後方から覆われている。図８に示すように、裏パックユニット１５は、裏パック２０１を備えており、当該裏パック２０１に対して、払出機構部２０２、排出通路盤及び制御装置集合ユニット２０４が取り付けられている。
【００８３】
裏パック２０１は透過性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも上記可変表示ユニット８９を囲むのに十分な大きさを有する。
【００８４】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた軸受け金具１３２（詳しくは軸受け部）に挿通させることで、裏パックユニット１５が内枠１３に対して回動可能に支持されている。また、ベース部２１１における回動先端部には、内枠１３に設けられた被締結孔に対して締結するための締結具２１５が設けられており、当該締結具２１５を被締結孔に嵌め込むことで内枠１３に対して裏パックユニット１５が固定されている。
【００８５】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００８６】
遊技球分配部２２５は、払出装置２２４より払い出された遊技球を上皿３３、下皿３４又は上述した排出通路の何れかに振り分けるための機能を有し、内側の開口部が上述した本体側上皿通路１２２及び前扉側上皿通路を介して上皿３３に通じ、外側の開口部が本体側下皿通路１２３及び前扉側下皿通路を介して下皿３４に通じるように形成されている。
【００８７】
ベース部２１１の下端部には、当該下端部を前後に挟むようにして排出通路盤及び制御装置集合ユニット２０４が取り付けられている（図２参照）。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００８８】
図８に示すように、制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００８９】
払出制御装置２４２においては基板ボックス２４４内に払出装置２２４を制御する払出制御基板が収容されており、中継装置３００を介して主制御装置１６２から入力した賞球コマンドに基づいて、払出装置２２４により賞球や貸し球の払出制御を行う。また、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００９０】
払出装置２２４には、遊技球が通過可能な遊技球通路が設けられており、当該遊技球通路を通って遊技球が払い出されるようになっている。遊技球通路には当該遊技球通路を流下する遊技球をカウントする払出カウントセンサ２２４ａが設けられている。払出カウントセンサ２２４ａは中継装置３００を介して主制御基板１６２と接続されており、払出カウントセンサ２２４ａの検知結果は主制御基板１６２のＭＰＵ１７２に対して入力されるようになっている。このＭＰＵ１７２では、払出カウントセンサ２２４ａの検知結果に基づいて払い出された遊技球数を把握し、制御する。
【００９１】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３にはＲＡＭ消去スイッチ２４７及び電源スイッチ２４９が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断する（電源スイッチ２４９をＯＮからＯＦＦに切り替える）と遮断前の状態が記憶保持されるが、ＲＡＭ消去スイッチ２４７を押しながら電源を投入する（電源スイッチ２４９をＯＦＦからＯＮに切り替える）と、ＲＡＭデータが初期化されるようになっている。なお、詳細については後述するが、パチンコ機１０にエラーが発生した場合には、上記球詰まりに係るエラーを除き、例えばパチンコ機１０を再起動させることで（電源スイッチをＯＮ→ＯＦＦ→ＯＮに切り替えることで）当該エラーを解消することが可能となっている。
【００９２】
＜パチンコ機１０の電気的構成＞
次に、パチンコ機１０の電気的構成について、図９のブロック図に基づき説明する。
【００９３】
主制御装置１６２は、遊技の主たる制御を司る主制御基板１７１と、電源を監視する停電監視基板１７５と、を具備している。主制御基板１７１には、ＭＰＵ１７２が搭載されている。ＭＰＵ１７２には、当該ＭＰＵ１７２により実行される各種の制御プログラムや固定値データを記憶したＲＯＭ１７３と、そのＲＯＭ１７３内に記憶される制御プログラムの実行に際して各種のデータ等を一時的に記憶するためのメモリであるＲＡＭ１７４と、割込回路、タイマ回路、データ入出力回路、乱数発生器としての各種カウンタ回路などが内蔵されている。なお、ＭＰＵ１７２が有する機能の一部、例えば、ＲＯＭ１７３の機能やＲＡＭ１７４の機能などを別の素子として有する構成としてもよい。
【００９４】
ＭＰＵ１７２には、入力ポート及び出力ポートがそれぞれ設けられている。ＭＰＵ１７２の入力側には、主制御装置１６２に設けられた停電監視基板１７５が接続されているとともに、払出制御装置２４２が接続されている。停電監視基板１７５には、動作電力を供給する機能を有する電源・発射制御装置２４３が接続されており、ＭＰＵ１７２には停電監視基板１７５を介して電力が供給される。
【００９５】
ＭＰＵ１７２の入力側には、各種入賞検知センサが接続されている。より詳細には、一般入賞口８１、可変入賞装置８２、作動口８４，８５及びスルーゲート８６などといった入賞対応入球部（払出対応入球部）に設けられた複数の検知センサ（一般入賞口用の検知センサ８１ａ、可変入賞装置用の検知センサ８２ａ、第１作動口用の検知センサ８４ａ、第２作動口用の検知センサ８５ａ、スルーゲート用の検知センサ８６ａ）が中継装置３００を介して接続されており、主制御装置１６２のＭＰＵ１７２においてはこれら各種検知センサからの検知情報に基づいて各入球部への入賞判定（入球判定）が行われる。また、ＭＰＵ１７２では、第１作動口８４及び第２作動口８５への入賞に基づいて大当たりの発生抽選及び振分抽選、スルーゲート８６への入賞に基づいて電動役物開放抽選等を実行する。
【００９６】
また、ＭＰＵ１７２の入力側には、払出カウントセンサ２２４ａが中継装置３００を介して接続されている。ＭＰＵ１７２では、払出カウントセンサ５３ｅの検知結果に基づいて払い出された遊技球数を把握し、制御する。
【００９７】
ＭＰＵ１７２の出力側には、停電監視基板１７５、払出制御装置２４２及び音声発光制御装置１６３が接続されている。払出制御装置２４２には、例えば、上記入賞対応入球部への入賞判定結果に基づいて賞球コマンドが出力される。音声発光制御装置１６３には、変動用コマンド、種別コマンド及びオープニングコマンドなどの各種コマンドが出力される。これら各種コマンドの詳細については後に説明する。なお、ＭＰＵ１７２は、音声発光制御装置１６３に対してパラレル通信でコマンドを送信する。
【００９８】
また、ＭＰＵ１７２の出力側には、可変入賞装置８２の開閉扉８２ｂを開閉動作させる可変入賞駆動部８２ｃ、第２作動口８５の電動役物８５ａを開閉動作させる電動役物駆動部８５ｂ、特図表示部８７及び普図表示部８８が中継装置３００を介して接続されている。主制御基板１７１には各種ドライバ回路が設けられており、当該ドライバ回路を通じてＭＰＵ１７２は各種駆動部の駆動制御を実行する。
【００９９】
つまり、開閉実行モードにおいては可変入賞装置８２の開閉扉８２ｂが開閉されるように、ＭＰＵ１７２において可変入賞駆動部８２ｃの駆動制御が実行される。また、電動役物８５ａを開放状態とするか否か決定する電動役物開放抽選に当選した場合には、電動役物８５ａが開閉されるように、ＭＰＵ１７２において電動役物駆動部８５ｂの駆動制御が実行される。また、各遊技回に際しては、ＭＰＵ１７２において特図表示部８７の表示制御が実行される。また、サポート発生抽選の結果を明示する場合に、ＭＰＵ１７２において普図表示部８８の表示制御が実行される。
【０１００】
停電監視基板１７５は、主制御基板１６２と電源・発射制御装置２４３とを中継し、また電源・発射制御装置２４３から出力される最大電圧である直流安定２４ボルトの電圧を監視する。払出制御装置２４２は、主制御装置１６２から入力した賞球コマンドに基づいて、払出装置２２４により賞球や貸し球の払出制御を行うものである。
【０１０１】
電源・発射制御装置２４３は、例えば、遊技場等における商用電源（外部電源）に接続されている。そして、その商用電源から供給される外部電力に基づいて主制御基板１７１や払出制御装置２４２等に対して各々に必要な動作電力を生成するとともに、その生成した動作電力を所定の電力経路を通じて供給する。また、電源・発射制御装置２４３は、遊技球発射機構１１０の発射制御を担うものであり、遊技球発射機構１１０（詳しくはソレノイド１１１）は所定の発射条件が整っている場合に駆動される。より具体的には、電源・発射制御装置２４３には、遊技球発射ハンドル４１に設けられた操作レベル検知センサ４１ａとタッチセンサ４１ｂとが接続されている。操作レベル検知センサ４１ａは、遊技球発射ハンドル４１の操作量（回動量）を検知するセンサであり、この操作レベル検知センサ４１ａからの情報に基づいて遊技球発射機構１１０による遊技球の発射強度（発射速度）が決定されることとなる。タッチセンサ４１ｂは、遊技者が遊技球発射ハンドル４１に触れている場合に情報を出力する構成となっており、電源・発射制御装置２４３ではこの情報に基づいて遊技者が遊技球発射ハンドル４１に触れているか否かを把握することができる構成となっている。タッチセンサ４１ｂからの情報に基づいて遊技者が遊技球発射ハンドル４１に触れていると判定し、且つ操作レベル検知センサ４１ａにて遊技球発射ハンドル４１が操作されていると判定した場合に遊技球の発射が許可されることとなる。
【０１０２】
なお、タッチセンサ４１ｂからの情報は、電源・発射制御装置２４３を経由して、主制御装置１６２ひいては音声発光制御装置１６３、表示制御装置１６４に送信されることとなる。
【０１０３】
音声発光制御装置１６３は、主制御装置１６２から入力した各種コマンドに基づいて、前扉枠１４に設けられた各種ランプ部２６，２７，２８，９８やスピーカ部２９を駆動制御するとともに、表示制御装置１６４を制御するものである。表示制御装置１６４では、音声発光制御装置１６３から入力したコマンドに基づいて、図柄表示装置９５の表示制御を実行する。
【０１０４】
ところで、上述した中継基板３０１は、基板ボックスに収容された状態で遊技盤に取り付けられるのが一般的である。基板ボックスとしては、例えば中継基板を複数の部材で挟み込み、当該複数の部材を連結させることにより構成されるものがある。より具体的には、一方の部材には周縁部に溝が形成され、他方の部材にはその溝に係止される係止爪が形成されており、この係止爪を溝に引っかけることで係止され、さらに両部材がネジ止めによって固定されるものがある。また、ネジ止めには、螺合によって締結させた後さらに大きいトルクで回転させると破断する破断部を備えた破断ネジやワンウェイネジ等が用いられていることが多く、この場合には、ネジを取り外すことにより分解することが困難とされている。ゆえに、痕跡が残らないように、中継基板を別の不正な基板に取り換えるような不正行為を抑制することができるようになっている。
【０１０５】
しかしながら、ネジ止めする構成においてはネジのコストが余分にかかるだけでなく、ネジ止めする工程が煩わしいという問題があった。他方、ネジ止めをしない場合には、ネジのコストを削減し、ネジ止めする工程を省略することが可能となる。その一方、係止爪を他方の部材の周縁部に引っかけるだけでは係止爪をはがすようにして基板ボックスを分解することが容易であるだけでなく、このように分解された場合にはその痕跡も残りにくい。このため、痕跡が残らないように、中継基板を別の不正な基板に取り換えられるような不正行為が懸念される。
【０１０６】
例えば、不正な基板を利用して、作動口に入賞していないにも関わらず、作動口に入賞したことを示す信号を主制御装置１７１に出力させ、不当に抽選を受けること、あるいは不当に遊技球の払出を受けること等の不正行為が懸念される。
【０１０７】
そこで、本実施形態では、こうした問題を解決すべく、中継装置３００に工夫が施されている。
【０１０８】
本実施形態における中継装置３００について説明する。図１０（ａ）は中継装置３００の正面斜視図であり、図１０（ｂ）は中継基板３００の主要な構成を分解して示す斜視図である。
【０１０９】
なお、図１０（ａ）及び図１０（ｂ）において、矢印Ｆ−Ｂ、矢印Ｕ−Ｄ及び矢印Ｌ−Ｒは、互いに直交する方向を示しており、矢印Ｆ−Ｂは、中継基板３０１に垂直な方向（厚さ方向又は前後方向ともいう）であってＦが正面側、Ｂが背面側を示し、矢印Ｕ−Ｄは、中継基板３０１の短手方向（上下方向ともいう）に平行な方向であってＵが上方、Ｄが下方を示し、矢印Ｌ−Ｒは、中継基板３０１の長手方向（左右方向ともいう）に平行な方向であってＬが左方、Ｒが右方を示す。以降の各図においても同様であるので、その説明は省略する。
【０１１０】
図１０（ａ）に示すように、中継装置３００は、基板側コネクタ３０２が搭載される中継基板３０１と、この中継基板３０１を収容する基板ボックス３０３と、を備えている。基板ボックス３０３は透過性を有する合成樹脂により形成されており、外部から中継基板３０１が視認可能とされている。基板ボックス３０３は、正面側ケース体３０４と背面側ケース体３０５とが連結することによって構成されている。基板ボックス３０３は所定方向（本実施形態では正面側）が開口した有底箱状に構成されており、中継基板３０１がこの基板ボックス３０３に収容された場合には、中継基板３０１の片面が外側に露出した状態となる。
【０１１１】
中継装置３００は、中継基板３０１の片面が露出した側がパチンコ機１０の背面側となるように、集合板ユニット１５０（遊技盤８０）側に固定される。つまり、中継装置３００は、中継装置３００の正面側がパチンコ機１０の背面側を向くようにして、集合板ユニット１５０（遊技盤８０）側に固定される。
【０１１２】
背面側ケース体３０５の上面には集合板ユニット１５０（遊技盤８０）側に固定される固定部３０６が設けられている。固定部３０６は背面側に向けて開口しているとともに、ネジが挿通するように貫通孔が形成されている。一方、集合板ユニット１５０（遊技盤８０）には正面側に突出し固定部３０６の開口部分に収まるように構成されたネジ穴が設けられている。固定部３０６を遊技盤８０のネジ穴に嵌め合わせ、固定部３０６の貫通孔を介してネジ止めすることにより、背面側ケース体３０５（中継装置３００）が集合板ユニット１５０（遊技盤８０）側に固定される。
【０１１３】
図１０（ｂ）に示すように、中継基板３０１は矩形形状に対して一方の長辺部に凹部３２０が形成された略コ字状をなしている。中継基板３０１の一方の板面には基板側コネクタ３０２を搭載するコネクタ搭載エリアが形成されており、コネクタ搭載エリアには複数（本実施形態では７個）の基板側コネクタ３０２が搭載されている。中継基板３０１の他方の板面は半田面となっている。以下、基板側コネクタ３０２が搭載されている面を表面、半田面を裏面として説明する。
【０１１４】
中継基板３０１は、表面が露出した状態で基板ボックス３０３に収容される。このため、基板側コネクタ３０２に対し、ハーネス側コネクタの接続及び取り外しが行いやすくなっている。一方、中継基板３０２の裏面は正面側ケース体３０４又は背面側ケース体３０５によって覆われている。これにより、裏側から細工等が行い難くなっている。
【０１１５】
中継装置３００は、背面側が集合板ユニット１５０（遊技盤８０）と対向するようにして、背面側が集合板ユニット１５０（遊技盤８０）に固定される。よって、内枠１３が開放された状態では中継基板３０１の表面が遊技機後方に露出し、基板側コネクタ３０２に対し、ハーネス側コネクタの接続及び取り外しがより一層行いやすくなっている。なお、ハーネス側コネクタの接続及び取り外しが行い難くなるものの、中継基板３０１の表面が別の向きとなるようにして遊技盤８０に固定する構成としてもよく、例えば、上方や下方、側方や背面側を向くようにしてもよい。
【０１１６】
正面側ケース体３０４には、中継基板３０１と外形が略同一のベース部３４０が設けられており、ベース部３４０の側方３面を囲むようにして短手側壁板３４１，３４２及び長手側壁板３４３（以下、壁板３４１，３４２，３４３ともいう）が設けられている。壁板３４１，３４２，３４３は連続して形成されており、隙間がないように形成されている。壁板３４１，３４２，３４３は高さ位置が同じとなるように設定されている。短手側壁板３４１，３４２は、ベース部３４０の短辺部から垂直方向に起立して形成されており、この短手側壁板３４１，３４２における正面側の端部にはそれぞれ内側に向けて突出した突起３４４，３４５が設けられている。これにより、ベース部３４０、壁板３４１，３４２，３４３、及び突起３４４，３４５に囲まれた部分には、中継基板３０１が収容される収容エリアが形成されている。
【０１１７】
長手側壁板３４３と対向する側には壁板が設けられていない。このため、中継基板３０１は、長手側壁板３４３と対向する側（壁板が設けられていない側）から上記収容エリアに向けて挿入され、収容エリアに配置されることが可能となっている。収容エリアに配置された中継基板３０１は、短手側壁板３４１，３４２によって長手方向への変位が規制され、長手側壁板３４３によって下方への変位が規制され、突起３４４，３４５によって上方への変位が規制される。
【０１１８】
長手側壁板３４３は、ベース部３４０における一方の長辺部（本実施形態では下側の長辺部）から垂直方向に起立して形成されている。また、長手側壁板３４３はベース部３４０における凹部に対応して内側に張り出した凸部３４６が形成されている。凸部３４６は、中継基板３０１の凹部３２０が嵌り込むように形成されている。よって、上記収容エリアに中継基板３０１を配置させる場合に、中継基板３０１の短手方向の向きが把握しやすいようになっている。また、中継基板３０１の短手方向の向きを逆にして装着させようとした場合には、中継基板３０１が収容エリアに収まらないようになっている。このため、逆向きで配置させるようなミスが発生し難いようになっている。
【０１１９】
また、中継基板３０１における所定（本実施形態では左上）の隅部には切り欠きした切り欠き部３２２が形成されており、正面側ケース体３０４のベース部３４０における上記所定の隅部に対応する隅部にも同様に切り欠きした切り欠き部３４７が形成されている。よって、正面側ケース体３０４の切り欠き部３４７の位置と中継基板３０１の切り欠き部３２２の位置とを確認することで、中継基板３０１の向きを把握することができる。ゆえに、収容エリアに対して中継基板３０１を収容させる場合に、中継基板３０１の短手方向の向きや長手方向の向きが把握しやすいようになっている。
【０１２０】
正面側ケース体３０４のベース部３４０には、壁板３４１，３４２，３４３よりも内側において、正面側（収容エリア側）に起立した内壁３４８，３４９が設けられている。内壁３４８，３４９は、収容エリアに配置された中継基板３０１の裏側がベース部３４０と接触しないように所定間隔以上離間させるスペーサとしての機能を有している。このため、中継基板３０１の裏面が正面側ケース体３０４のベース部３４０と接触し難くなり、接触によるコネクタの破損等が抑制される。
【０１２１】
突起３４４，３４５と内壁３４８，３４９とは、中継基板３０１の厚さ方向に当該中継基板３０１の厚さよりも若干広めの間隔が空くように形成されている。これにより、基板ボックスに与えられた厚さ方向の衝撃が中継基板３０１に伝達されにくくなり、中継基板３０１に与えられる衝撃を緩和することができる。また、中継基板３０１は、正面側への変位が突起３４４，３４５によって規制され、背面側への変位が内壁３４８，３４９によって規制される。
【０１２２】
さらに、内壁３４８，３４９はコネクタ搭載エリアの外側を支持するように構成されている。言い換えると、コネクタ搭載エリアは内壁３４８，３４９の内側に収まるように構成されている。このため、内壁３４７，３４８が基板側コネクタ３０２に接触し難いようになっている。
【０１２３】
内壁３４８，３４９は短手方向に沿って延びるように形成されている。このため、中継基板３０１及び正面側ケース体３０４の相互で伝達される圧力が短手方向に分散されやすくなっている。さらに、内壁３４８，３４９の内側にはベース部３４０から起立した所定数（本実施形態では３本）の支柱３５０が設けられている。各支柱の高さ位置は、内壁３４８，３４９の高さ位置と同程度に設定されている。よって、中継基板３０１及び正面側ケース体３０４の相互で伝達される圧力が支柱３５０を介して長手方向にも分散されやすくなっている。
【０１２４】
支柱３５０は長手側壁板３４３に接する位置に配設されている。一方、壁板が設けられていない他方の長辺部にはベース部３４０を切り欠きした所定数（本実施形態では３）の切り欠き部３５１が形成されている。背面側ケース体３０５には、各切り欠き部３５１と対応した位置に支柱３６９（図１１（ａ）参照）が形成されている。支柱３６９は、正面側ケース体３０４と背面側ケース体３０５とが連結された場合に、切り欠き部３５１を通じて正面側ケース体３０４におけるベース部３４０の正面側に突出するように構成されており、支柱３６９の高さ位置は、正面側ケース体３０４と背面側ケース体３０５とが連結された場合に、正面側ケース体３０４側の支柱３４９の高さ位置と同程度となるように設定されている。よって、両長辺部において、中継基板３０１及び正面側ケース体３０４の相互で伝達される圧力が分散されやすくなっている。
【０１２５】
背面側ケース体３０５には、中継基板３０１の外形と略同一の大きさのベース部３６０が設けられている。ベース部３６０には、中継基板３６０の側面のうち、正面側ケース体３０４にて壁板が設けられていない側面（上方の側面）に対応して、上方側の長辺部から正面側に起立した壁板３６１が設けられている。壁板３６１の高さ位置は、正面側ケース体３０４及び背面側ケース体３０５が連結された場合に、正面側ケース体３０４側の壁板３４１，３４２，３４３の高さ位置や突起３４４，３４５の高さ位置と同程度となるように設定されている。よって、正面側ケース体３０４及び背面側ケース体３０５が連結されることにより、基板ボックス３０３（収容エリア）に収容された中継基板３０１は上方への変位も規制される。
【０１２６】
つまり、正面側ケース体３０４（収容エリア）に対して中継基板３０１の挿入及び取り出しが可能な上方への変位が背面側ケース体３０５との連結によって規制されることとなり、基板ボックス３０３（収容エリア）に収容された中継基板３０１は全方向への変位が規制されることとなる。言い換えると、正面側ケース体３０４及び背面側ケース体３０５が連結されることにより、中継基板３０１は全方向への変位が規制された状態で基板ボックス３０３（収容エリア）に収容されることとなる。
【０１２７】
ちなみに、正面側ケース体３０４の突起３４５は折れやすく構成されている。このため、中継基板３０１を基板ボックス３０３に収容した後であっても、突起３４５を折ることで中継基板３０１を取り出すことができる。また、突起３４５を折って中継基板３０１を取り出した場合にはその痕跡が残るため、こうした行為が第三者によって不正に行われた場合であってもその事実を容易に特定することが可能となっている。
【０１２８】
背面側ケース体３０５には、正面側ケース体３０４及び背面側ケース体３０５が連結された場合に、正面側ケース体３０４側の壁板３４１，３４２と背面側ケース体３０５側の壁板３６１との間が隙間なく埋まるように、壁板３６１に連続して壁板３６２，３６３が設けられている。よって、正面側ケース体３０４及び背面側ケース体３０５が連結された場合には、収容エリアに配置された中継基板３０１の側方４面を囲む周壁が形成され、この周壁により中継基板３０１の側部は隙間なく囲まれることとなる。
【０１２９】
壁板３６１と対向する側には、正面側ケース体３０４及び背面側ケース体３０５が連結された場合に、正面側ケース体３０４との隙間を埋めるようにして形成された壁板３６４が設けられている。これらの構成により、正面側ケース体３０４及び背面側ケース体３０５は隙間なく連結される。
【０１３０】
ここで、図１１及び図１２に基づいて、正面側ケース体３０４及び背面側ケース体３０５が連結する構成について説明する。図１１（ａ）は背面側ケース体３０５の正面図であり、図１１（ｂ）は正面側ケース体３０４の正面図であり、図１１（ｃ）は正面側ケース体３０４の平面図である。
【０１３１】
図１１（ａ）に示すように、背面側ケース体３０５のベース部３６０には正面側ケース体３０４側と係止する所定数（本実施形態では４つ（２対））の係止部が設けられている。この係止部は、ベース部３６０から正面側に突出し、ベース部３６０の平面方向（短手方向又は長手方向）に延設された形状をなしており、且つ弾性変形する係止片３６５である。係止片３６５は、ベース部３６０から正面側に起立した棒状の軸部３６６と、軸部の先端において平面方向に延びる係止爪３６７と、を有している。この係止部は、ベース部３６０における長手方向の両端部においてそれぞれ対で設けられ、係止爪３６７が互いに反対方向を向くように形成されている。
【０１３２】
他方、図１１（ｂ）に示すように、正面側ケース体３０４のベース部３４０には、背面側ケース体３０５における係止片３６５の突出方向に開口部３５２，３５３が形成されている。これら開口部３５２，３５３の周縁部には、背面側ケース体３０５側の係止部と係止される所定数（本実施形態では４つ（２対））の被係止部が設けられている。この被係止部は、係止片３６５を受ける板状の受け部３５４である。係止片３６５は受け部３５４と接触する部分が面取りされており、正面側ケース体３０４と背面側ケース体３０５とを重ね合わせようとする場合、係止片３６５は受け部３５４から開口部３５２，３５３側へ押されて弾性変形し、係止爪３６７がこの開口部３５２，３５３を通過すると係止片３６５が元の位置に戻る。このとき、係止片３６５の係止爪３６７が受け部３５４に引っかかり係止される。これによって、正面側ケース体３０４及び背面側ケース体３０５が連結される。
【０１３３】
ちなみに、背面側ケース体３０５の係止部は、正面側ケース体３０４における内壁３４８，３４９の外側に設けられている。その一方、上述したように、コネクタ搭載エリアは内壁３４８，３４９の内側に収まるように構成されている。つまり、背面側ケース体３０５の係止部と、正面側ケース体３０４におけるコネクタ搭載エリアとが前後方向に重複しないように構成されている。よって、正面側ケース体３０４及び背面側ケース体３０５が連結された場合に、背面側ケース体３０５の係止部が基板側コネクタ３０２の裏側に接触して中継側コネクタ３０２が損傷されるような事態の発生が抑制されるようになっている。
【０１３４】
また、係止片３６５において、軸部３６６の係止爪３６７が突出する側とは反対側の付け根部分は、ベース部３６０との接地面積が広めに形成されている。係止片３６５は、受け部３５４と係止される際に、係止爪３６７が突出する側とは反対側に反り、当該反対側の付け根に負荷がかかりやすくなっているところ、当該反対側の付け根部分の接地面積を広めに確保することで係止される際に負荷がかかりやすい付け根部分を強化することができ、係止片３６５の破損リスクを低減させることができる。また、付け根部分の接地面積を広めに確保することで、付け根部分に対応する金型の流入面積が広くなるため、金型成形の際に樹脂が流入しやすくなる。
【０１３５】
図１２（ａ）は、中継基板３０１が収容されずに正面側ケース体３０４及び背面側ケース体３０５が連結された状態における正面図であり、図１２（ｂ）は、中継基板３０１が収容されてから正面側ケース体３０４及び背面側ケース体３０５が連結された状態における正面図、つまり中継装置３００の正面図である。
【０１３６】
図１２（ａ）に示すように、中継基板３０１が収容されていない状態では、係止片３６５が受け部３５４に引っかかっている係止部分が外部に露出している。一方、図１２（ｂ）に示すように、中継基板３０１が収容されている状態では、中継基板３０１によって係止部分が覆われて隠された状態となっている。また、背面側においては、係止部分が正面側ケース体３０４のベース部３４０や背面側ケース体３０５のベース部３６０によって覆われ、係止部分が隠された状態となっている。このように、本実施形態では、係止部分（係止片３６５及び受け部３５４）が基板ボックス３０３及び中継基板３０１によって形成される箱状の中継装置３００の内側に配設されるように構成されている。よって、係止爪３６７をはがして基板ボックス３０３を分解することが困難になり、ひいては分解の痕跡を残すことなく中継基板３０１を不正な基板に取り換えるような不正行為を抑制することができる。
【０１３７】
また、本実施形態では、正面側ケース体３０４及び背面側ケース体３０５はそれぞれ各部位が前後方向（厚さ方向）に重複しないように構成されている。このため、正面側ケース体３０４及び背面側ケース体３０５はそれぞれ２種類の金型を重ね合わせて一体的に成形することができる。より具体的には、図１３に基づいて説明する。
【０１３８】
図１３（ａ）は係止爪を有する係止片及び該係止片の周辺の断面を示した図であり、図１３（ｂ）は本実施形態における係止片３６５の成形方法を示す図である。
【０１３９】
図１３（ａ）に示すように、係止片にはその先端から側方に突出した係止爪が形成されている。本実施形態では、図１３（ｂ）に示すように、２種類の金型３８０，３８１が用いられる。図面上側に配置される金型３８０は、係止片３６５の形状に対応して凹ませて形成されている。一方、図面下側に配置される金型３８１は、係止片３６５における係止爪３６７の形状に対応して突出して形成されている。これら金型３８０，３８１を用いることで、ベース部３６０及び係止片３６５が一体成形される。
【０１４０】
但し、このように成形した場合には以下のような問題が生じる。すなわち、係止片３６５は背面側ケース体３０５におけるベース部３６０の平面方向に延びるように形成されているため、係止片３６５を成形するためにベース部３６０には抜き孔３６８が形成されてしまう。このため、抜き孔３６８を介して異物を侵入させることが可能となり、例えば基板ボックス３０３の外側から抜き孔３６８を通じてピンセットのようなものを挿入し、係止片３６５を受け部３５４の反対側へ押圧することで係止状態が解除されるおそれがある。この場合には、開封の痕跡が残らないように中継基板３０１を不正な基板に取り換えることが可能となってしまう。
【０１４１】
なお、こうした問題が生じないように、係止爪を有する係止片をベース部と一体成形する場合に、抜き孔が形成されない方法を採用することも考えられる。例えば、図１３（ｃ）は抜き孔が形成されない成型方法を示した図である。図１３（ｃ）では、金型３９０，３９１を上下に重ね合わせるとともに、金型３９０，３９１の間にスライド棒３９２が横から差し込まれ、係止爪を有する係止片が成形される。この構成によれば、ベース部に抜き孔が形成されないように、係止爪を有する係止片をベース部と一体成形することが可能となる。
【０１４２】
しかしながら、図１３（ｃ）に示す成型方法では、本実施形態の構成と比較して金型の種類が増加するため金型の製造コストが増大化し、また、各金型が細分化されるため、耐久性の低下が懸念される。さらに、スライド棒３９２の延長方向には壁板等を成形することもできないという問題が生じる。つまり、金型の製造コストの増大化を抑え、金型の耐久性を高く維持するという観点から、図１３（ｂ）に示すように２種類の金型３８０，３８１を用いて一体成形することが好ましい。
【０１４３】
そこで、本実施形態では、抜き孔３６８が形成されてしまう構成においても上記不正行為を抑制すべく対策がとられている。以下、その構成について説明する。
【０１４４】
図１４に基づき、上記問題を解決するための特徴的な構成について説明する。図１４は図１２（ｂ）のＡ−Ａ線部分断面図である。
【０１４５】
図１４では、係止片３６５及び受け部３５４が係止された状態が示されている。この図１４に示すように、正面側ケース体３０４には、正面側ケース体３０４及び背面側ケース体３０５が連結された場合に軸部３６６における係止爪３６７が突出している側を沿うようにして、弾性変形する突起部３５５が設けられている。よって、ピンセット等を軸部３６６における係止爪３６７が突出している側にピンセット等を接触させることが突起部３５５により妨害され、係止片３６５を係止爪３６７が突出していない側とは反対側に押し出すことが困難となり、その結果、係止状態を解除させることが困難となる。また、突起部３５５の外側から突起部３５５ごと軸部３６６を押圧することも考えられるが、突起部３５５の外側から押圧された場合には軸部３６６とは反対側に付勢力が働くため、軸部３６６まで圧力が伝達されにくい。ゆえに、痕跡が残らないように中継装置３００を分解し、中継基板３０１を不正な基板と取り換えるような不正行為を抑制することができる。
【０１４６】
また、突起部３５５は受け部３５４（係止爪３６７）から抜き孔３６８に向かって延びるように形成されている。ここで、係止片３６５はベース部３６０との接続部分を支点として回動するため、ベース部３６０から離れた係止爪３６７に近い位置で押圧するほど係止片３６５を動かしやすいところ、突起部３５５は受け部３５４（係止爪３６７）から抜き孔３６８に向かって延びるように形成されているため、係止爪３６７に近い位置での押圧力を効果的に抑制することができる。よって、係止片３６５に対して係止状態を解除するのに十分な押圧を加えることが困難となり、係止状態が解除されることを抑制することができる。
【０１４７】
さらに、突起部３５５は抜き孔３６８に対して嵌り込むように形成されており、これにより抜き孔３６８が塞がれている。よって、抜き孔３６８を通じてピンセットのような異物を中継装置３００内部に侵入させること自体が困難となり、より好適に不正行為を抑制することが可能となる。特に、本実施形態では、突起部３５５が抜き孔３６８を埋めるように構成されているため、突起部３５５が多少内側に押されたとしても抜き孔３５５が塞がれた状態を維持することができ、より一層防犯性が高められる。
【０１４８】
以上説明したように、本実施形態によれば中継装置３００の内側で係止片３６５が受け部３５４に引っかかり係止されるため、正面側ケース体３０４の壁板３４１，３４２，３４３やベース部３４０、背面側ケース体３０５の壁板３６１，３６２，３６３，３６４やベース部３６０、中継基板３０１等が障壁となり係止片３６５をはずすことが困難となる。よって、痕跡が残らないように中継装置３００を分解し、中継基板３０１を不正な基板と取り換えるような不正行為を抑制することができる。
【０１４９】
正面側ケース体３０４及び背面側ケース体３０５は、それぞれ各部位が前後方向（厚さ方向）に重複しないように構成されている。このため、正面側ケース体３０４及び背面側ケース体３０５はそれぞれ２種類の金型で挟み込むようにして一体成形することができる。よって、金型の種類の増大化が抑制されるため金型の製造コストを抑えることができ、細かい金型を使用しないので金型の耐久性を高く維持することができる。
【０１５０】
正面側ケース体３０４及び背面側ケース体３０５が連結された場合に軸部３６６における係止爪３６７が突出している側を沿うようにして、弾性変形する突起部３５５が設けられている。よって、ピンセット等を軸部３６６における係止爪３６７が突出している側にピンセット等を接触させることが突起部３５５により妨害され、係止片３６５を係止爪３６７が突出していない側とは反対側に押し出すことが困難となり、その結果、係止状態を解除させることが困難となる。また、突起部３５５の外側から突起部３５５ごと軸部３６６を押圧することも考えられるが、突起部３５５の外側から押圧された場合には軸部３６６とは反対側に付勢力が働くため、軸部３６６まで圧力が伝達されにくい。よって、痕跡が残らないように中継装置３００を分解し、中継基板３０１を不正な基板と取り換えるような不正行為を抑制することができる。
【０１５１】
また、突起部３５５は受け部３５４（係止爪３６７）から抜き孔３６８に向かって延びるように形成されている。ここで、係止片３６５はベース部３６０との接続部分を支点として回動するため、ベース部３６０から離れた係止爪３６７に近い位置で押圧するほど係止片３６５を動かしやすいところ、突起部３５５は受け部３５４（係止爪３６７）から抜き孔３６８に向かって延びるように形成されているため、係止爪３６７に近い位置での押圧力を効果的に抑制することができる。よって、係止片３６５に対して係止状態を解除するのに十分な押圧を加えることが困難となり、係止状態が解除されることを抑制することができる。
【０１５２】
さらに、突起部３５５は抜き孔３６８に対して嵌り込むように形成されており、これにより抜き孔３６８が塞がれている。よって、抜き孔３６８を通じてピンセットのような異物を中継装置３００内部に侵入させること自体が困難となり、より好適に不正行為を抑制することが可能となる。特に、本実施形態では、突起部３５５が抜き孔３６８を埋めるように構成されているため、突起部３５５が多少内側に押されたとしても抜き孔３５５が塞がれた状態を維持することができ、より一層防犯性が高められる。
【０１５３】
（第２の実施形態）
第１の実施形態では、中継装置３００の内側で係止させる構成について説明した。このように、中継装置３００の内側で係止させる構成については別の形態を採用することも可能である。例えば、係止部については係止させる際にかかる負荷によって破損するおそれがあり、より破損し難い構成とすることが好ましい。以下、その一例について説明する。なお、第１の実施形態と共通する構成については説明を省略し、主に異なる構成について説明する。
【０１５４】
まず、本実施形態における中継装置４００の外観について図１５（ａ）に基づき説明する。図１５（ａ）は中継装置４００を正面側から見た斜視図である。
【０１５５】
図１５（ａ）に示すように、中継装置４００は、基板側コネクタ４０２が搭載される中継基板４０１と、この中継基板４０１を収容する基板ボックス４０３と、を備えている。基板ボックス４０３は透過性を有する合成樹脂により形成されており、外部から中継基板４０１が視認可能とされている。基板ボックス４０３は、正面側ケース体４０４と背面側ケース体４０５とが連結することによって構成されている。基板ボックス４０３は所定方向（本実施形態では正面側）が開口した有底箱状に構成されており、中継基板４０１がこの基板ボックス４０３に収容された場合には、中継基板３０１の表面が外側に露出した状態となる。
【０１５６】
背面側ケース体４０５の上面には集合板ユニット１５０（遊技盤８０）側に固定される固定部４０６が設けられている。この固定部４０６を利用して、背面側ケース体４０５（中継装置４００）が集合板ユニット１５０（遊技盤８０）側に固定される。
【０１５７】
次に、正面側ケース体４０４について、図１５（ｂ）に基づき説明する。図１５（ｂ）は正面側ケース体４０４の正面図である。
【０１５８】
正面側ケース体４０４には、中継基板４０１と外形が略同一のベース部４１０が設けられており、ベース部４１０の側方３面を囲むようにして短手側壁板４１１，４１２及び長手側壁板４１３（以下、壁板４１１，４１２，４１３ともいう）が設けられている。壁板４１１，４１２，４１３は連続して形成されており、隙間がないように形成されている。壁板４１１，４１２，４１３は高さ位置が同じとなるように設定されている。短手側壁板４１１，４１２は、ベース部４１０の短辺部から垂直方向（前後方向）に起立して形成されており、この短手側壁板４１１，４１２における正面側の端部にはそれぞれ内側に向けて突出した突起４１４，４１５が設けられている。これにより、ベース部４１０、壁板４１１，４１２，４１３、及び突起４１１，４１２に囲まれた部分には、中継基板４０１が収容される収容エリアが形成されている。
【０１５９】
また、短手側壁部４１１，４１２のうち一方の壁部（本実施形態では短手側壁部４１１）の外側には、背面側ケース体４０５と係合する係合部が形成されている。この係合部は、壁部から外側に向けて延びる柄４１６と、柄４１６から短辺方向に延びる棒状の回動軸４１７とで形成されている。このため、回動軸４１７に係合した対象物は短辺方向を回動軸として回動する。
【０１６０】
続いて、背面側ケース体４０５について、図１５（ｃ）に基づき説明する。図１５（ｃ）は背面側ケース体４０５の正面図である。
【０１６１】
背面側ケース体４０５は、中継基板４０１と外形が略同一に形成されたベース部４３０を有している。このベース部４３０には、正面側ケース体４０４側の係合部と係合する係合部が設けられている。ベース部４３０の係合部は、回動軸４１７を回動可能に保持する中空状の円筒４３１である。この円筒４３１に回動軸４１７を挿入することで係合される。また、円筒４３１に回動軸４１７を挿入する場合、柄４１６が円筒４３１に接触するところで挿入方向への変位が規制されるとともに、短辺方向の位置決めがされる。
【０１６２】
図１６は、円筒４３１と回動軸４１７とが係合された状態における斜視図である。この状態から正面側ケース体４０４と背面側ケース体４０５とが相対移動できないように連結される構成について説明する。
【０１６３】
背面側ケース体４０５のベース部４３０には、所定数（本実施形態では２つ（１対））の係止部が形成されている。この係止部は、ベース部４３０から正面側に突出し、ベース部４３０の平面方向（短手方向又は長手方向）に延設された形状をなしており、弾性変形する係止片４３２である。係止片４３２は、ベース部４３０から起立した棒状の軸部４３３と、軸部の先端が直角方向に突出する係止爪４３４と、を有している。第１の実施形態では長手方向の両端に係止部が設けられているが、本実施形態では、一端にのみ設けられている。つまり、本実施形態では、長手方向の一端に係合部が設けられ、他端に係止部が設けられており、この係合部と係止部とによって両端が結合されるようになっている。
【０１６４】
他方、正面側ケース体４０４のベース部４１０には、背面側ケース体４０５における係止片４３２の突出方向に開口部４１８が形成されている。これら開口部４１８の周縁部には、背面側ケース体４０５側の係止部と係止する所定数（本実施形態では４つ（２対））の被係止部が設けられている。この被係止部は、係止片４３２を受ける板状の受け部４２０である。係止片４３２は受け部４２０と接触する部分が面取りされており、正面側ケース体４０４と背面側ケース体４０５とを重ね合わせようとする場合、係止片４３２は受け部４２０から開口部４１８側へ押されて弾性変形し、係止爪４３４がこの開口部４１８を通過すると係止片４３２が元の位置に戻る。このとき、係止片４３２の係止爪４３４が受け部４２０に引っかかり係止される。これによって、正面側ケース体４０４及び背面側ケース体４０５が連結される。つまり、円筒４３１と回動軸４１７とが係合された状態から、正面側ケース体４０４と背面側ケース体４０５とを重ね合わせるように押圧することで係止片４３２が受け部４２０に引っかかって係止され、正面側ケース体４０４と背面側ケース体４０５とが連結される。
【０１６５】
このように、本実施形態では、正面側ケース体４０４と背面側ケース体４０５とを連結させる場合に、まず一端を係合させることによりヒンジを構成し、そのヒンジを利用して回動させることにより他端を係止させるようになっている。
【０１６６】
ここで、正面側ケース体４０４と背面側ケース体４０５とを連結させる場合には、係止片４３２が破損しないように係止片４３２の突出方向と平行に押圧することが好ましい。この点、第１の実施形態では、正面側ケース体４０４と背面側ケース体４０５とが平行となるように調整しながら押圧する必要がある。さらに、長手方向の両端部に係止部が設けられているため、係止片４３２の突出方向と平行に押圧するためには一度に全ての係止部を係止させることが必要となる。しかしながら、両端に同じタイミングで一定以上の押圧をかけることは容易でないため、押圧される部分に偏りが生じやすく、係止片４３２が破損する原因となりやすい。
【０１６７】
一方、本実施形態の構成によれば、まず一端を係合させた状態から他端を係止させるため、押圧をかける部分を当該他端に集中させることができる。さらに、ヒンジによって短手方向への位置決めがなされるため、正面側ケース体４０４と背面側ケース体４０５とが平行となるように調整する必要もない。よって、係止させる場合に係止片４３２にかかる負荷が過大となることを抑制することができ、係止片４３２の破損リスクを低減することができる。
【０１６８】
また、本実施形態では、係止片４３２の係止爪４３４が、正面側ケース体４０４又は背面側ケース体４０５の回動軸と平行な方向に延設されている。これは以下の理由による。係止片４３２が係止される場合、係止爪４３４が延設される方向とは反対方向へ押圧される。このため、係止片４３２には、係止爪４３４が延設される側とは反対側の付け根に負荷がかかる。また、本実施形態のように正面側ケース体４０４と背面側ケース体４０５とをヒンジにより回動させて連結させる構成においては、正面側ケース体４０４と背面側ケース体４０５とは弧を描くようにして連結されるため、係止片４３２の係止爪４３４を径方向外側に向けた場合又は係止片４３２の係止爪４３４を径方向内側に向けた場合には、係止爪４３４が延設される側とは反対側の付け根にかかる負荷が一層重くなるという問題がある。そこで、係止させる場合において正面側ケース体４０４から係止片４３２が受ける押圧が径方向と軸方向とに分散されるように、係止爪４３４を軸方向に延設させている。
【０１６９】
さらに、係止片４３２の先端には、径方向外側において面取り部４３５が形成されている。これにより、正面側ケース体４０４と背面側ケース体４０５とを係止させる場合において、係止片４３２が受ける径方向外側からの押圧が軽減される。ゆえに、係止片４３２の破損リスクを低減することができる。
【０１７０】
なお、本実施形態においても、第１の実施形態と同様に、係止部分が中継装置４００の内側となるように構成されている。このため、正面側ケース体４０４の壁板やベース部４１０、背面側ケース体４０５の壁板やベース部４３０、中継基板４０１等が障壁となり係止片４３２をはずすことが困難となる。よって、痕跡が残らないように中継装置４００を分解し、中継基板４０１を不正な基板と取り換えるような不正行為を抑制することができる。
【０１７１】
また、本実施形態においても正面側ケース体４０４及び背面側ケース体４０５は、それぞれ各部位が前後方向（厚さ方向）に重複しないように構成されている。このため、正面側ケース体４０４及び背面側ケース体４０５はそれぞれ２種類の金型で挟み込むようにして一体成形することができる。よって、金型の種類の増大化が抑制されるため金型の製造コストを抑えることができ、細かい金型を使用しないので金型の耐久性を高く維持することができる。
【０１７２】
本実施形態においても、正面側ケース体４０４及び背面側ケース体４０５が連結された場合に軸部４３３における係止爪４３４が突出している側を沿うようにして、弾性変形する突起部が設けられている。よって、ピンセット等を軸部４３３における係止爪４３４が突出している側にピンセット等を接触させることが突起部により妨害され、係止片４３２を係止爪４３４が突出していない側とは反対側に押し出すことが困難となり、その結果、係止状態を解除させることが困難となる。また、突起部の外側から突起部ごと軸部４３３を押圧することも考えられるが、突起部の外側から押圧された場合には軸部４３３とは反対側に付勢力が働くため、軸部４３３まで圧力が伝達されにくい。よって、痕跡が残らないように中継装置４００を分解し、中継基板４０１を不正な基板と取り換えるような不正行為を抑制することができる。
【０１７３】
また、突起部は受け部４２０（係止爪４３４）から抜き孔４２６に向かって延びるように形成されている。ここで、係止片４３２はベース部４３０との接続部分を支点として回動するため、ベース部４３０から離れた係止爪４３４に近い位置で押圧するほど係止片４３２を動かしやすいところ、突起部は受け部４２０（係止爪４３４）から抜き孔４２６に向かって延びるように形成されているため、係止爪４３４に近い位置での押圧力を効果的に抑制することができる。よって、係止片４３２に対して係止状態を解除するのに十分な押圧を加えることが困難となり、係止状態が解除されることを抑制することができる。
【０１７４】
さらに、突起部は抜き孔４２６に対して嵌り込むように形成されており、これにより抜き孔４２６が塞がれている。よって、抜き孔４２６を通じてピンセットのような異物を中継装置４００内部に侵入させること自体が困難となり、より好適に不正行為を抑制することが可能となる。特に、本実施形態では、突起部が抜き孔４２６を埋めるように構成されているため、突起部が多少内側に押されたとしても抜き孔４２６が塞がれた状態を維持することができ、より一層防犯性が高められる。
【０１７５】
（第３の実施形態）
上記各実施形態では、正面側の突起が折れやすくなっており、この突起を折ることで中継基板を正面側から取り出すことができるようになっている。また、突起が折られた場合にはその痕跡が残るため、不正に開放された場合にはその事実を容易に特定することができるようになっている。
【０１７６】
しかしながら、より防犯性を高めるために、中継基板の取り出しをより困難にしたい場合もある。本実施形態ではこうした状況に合った中継装置５００について説明する。なお、第１の実施形態と共通する構成について説明を省略し、主に異なる構成について説明する。
【０１７７】
図１７（ａ）は、中継装置５００を正面側から見た斜視図である。
【０１７８】
中継装置５００は、基板側コネクタ５０２が搭載された中継基板５０１と、基板ボックス５０３と、を備えている。基板ボックス５０３は透過性を有する合成樹脂により形成されており、外部から中継基板５０１が視認可能とされている。基板ボックス５０３は、カバー部材５０４と台座５０５とが連結されることによって構成されている。カバー部材５０４には基板側コネクタ５０２の形状に合わせて複数の開口部５０６が形成されている。基板ボックス５０３に中継基板５０１が収容された状態では、基板側コネクタ５０２がカバー部材５０４の開口部５０６を通じて外側に突出して露出される。
【０１７９】
台座５０５の上面には集合板ユニット１５０（遊技盤８０）側に固定される固定部５０７が設けられている。固定部５０７は背面側に向けて開口しているとともに、ネジが挿通するように貫通孔が形成されている。一方、集合板ユニット１５０（遊技盤８０）には正面側に突出し固定部５０７の開口部分に収まるように構成されたネジ穴が設けられている。固定部５０７を遊技盤８０のネジ穴に嵌め合わせ、固定部５０７の貫通孔を介してネジ止めすることにより、台座５０５（中継装置５００）が集合板ユニット１５０（遊技盤８０）側に固定される。
【０１８０】
図１７（ｂ）は、中継装置５００を正面側から見た分解斜視図である。図１７（ｂ）に示すように、カバー部材５０４には、上記開口部５０６が設けられた板状の蓋部５１０が設けられている。中継基板５０１は蓋部５１０の背面側（カバー部材５０４の内側）から蓋部５０１に対して嵌め込まれる。これにより、開口部５０６を介して中継基板５０１の基板側コネクタ５０２が正面側に突出して露出される。この状態からカバー部材５０４と台座５０５とが連結され、基板ボックス５０３が構成される。
【０１８１】
次に、図１８に基づきカバー部材５０４について説明する。図１８（ａ）はカバー部材５０４の背面図であり、図１８（ｂ）はカバー部材５０４の平面図である。
【０１８２】
蓋部５１０は、中継基板５０１が嵌め込まれた状態では、中継基板５０１の大部分を覆うようにして形成されている。このため、中継基板５０１が蓋部５１０に嵌め込まれた場合、蓋部５１０によって中継基板５０１の大部分が覆われる。
【０１８３】
カバー部材５０４には、蓋部５１０の側方３面を囲むようにして、背面側に延びる短手側壁板５１１，５１２及び長手側壁板５１３（以下、壁板５１１，５１２，５１３ともいう。）が設けられている。壁板５１１，５１２，５１３は連続して形成されており、隙間が無いように形成されている。壁板５１１，５１２，５１３の高さ位置は同程度に設定されている。
【０１８４】
ここで、中継基板５０１は矩形形状に対して一方の長辺部に凹部が形成された略コ字状をなしている。そして、長手側壁板５１３には中継基板５０１の凹部が嵌まり込むように内側に張り出した凸部が形成されている。よって、カバー部材５０４に対して中継基板５０１を収容させる向きが把握しやすいようになっている。
【０１８５】
壁板５１１，５１２，５１３は長手側壁板５１３を介して蓋部５１０と接続されている。一方、短手側壁板５１１，５１２と蓋部５１０との間には間隙となる間隙部５１４，５１５が形成されている。
【０１８６】
短手側壁板５１１，５１２の背面側の端部には、それぞれ内側に向けて延設された延設部５１４，５１５が設けられている。延設部５１４，５１５は間隙部５１４，５１５と前後方向に重複しないように形成されている。このため、カバー部材５０４は、２種類の金型を前後方向から挟み込むようにして一体成形しやすいようになっている。なお、延設部５１４，５１５については後述する。
【０１８７】
蓋部５１０、壁板５１１，５１２，５１３及び延設部５１４，５１５によって囲まれた領域に中継基板５０１が収容させる収容エリアが形成される。長手側壁板５１３と対向する側である上側には収容エリアに対して中継基板５０１を挿入することが可能な開口部が形成されており、この開口部を介して挿入することが可能となっている。
【０１８８】
続いて、図１９に基づき台座５０５について説明する。図１９（ａ）は台座５０５の正面図であり、図１９（ｂ）は台座５０５の底面図である。
【０１８９】
台座５０５には、中継基板５０１と外形が略同一のベース部５３０が設けられている。ベース部５３０の上側（カバー部材５０４における長手側壁板５１３と対向する側）長辺部には、正面側に起立した壁板５３１が設けられている。壁板５３１の高さ位置は、カバー部材５０４と台座５０５とが連結された場合に、カバー部材５０４の蓋部５１０の高さ位置と同程度となるように設定されている。これにより、基板ボックス５０３に収容された中継基板５０１は、上方への変位が壁板５３１によって規制され、下方への変位が長手側壁板５１３によって規制され、左右方向への変位が短手側壁板５１１，５１２によって規制され、前方への変位が蓋部５１０によって規制されることとなる。
【０１９０】
また、カバー部材５０４と台座５０５とが連結された場合に、カバー部材５０４の短手側壁板５１１，５１２と台座５０５の長手側壁板５１３との間に隙間が形成されないように、カバー部材５０４の短手側壁板５１１，５１２と台座５０５の長手側壁板５１３との間を埋めるようにして、台座５０５には壁板５３１に連続して壁板５３２，５３３が設けられている。よって、カバー部材５０４と台座５０５とが連結された場合にカバー部材５０４の短手側壁板５１１，５１２と台座５０５の長手側壁板５１３との間に隙間が形成され難いようになっている。
【０１９１】
カバー部材５０４と台座５０５とが連結された場合に、前後方向においてカバー部材５０４と台座５０５との間に隙間が形成されないように、カバー部材５０４と台座５０５との間を埋めるようにして、台座５０５には壁板５３４が設けられている。これにより、前後方向においてカバー部材５０４と台座５０５との間が壁板５３４によって埋まり、カバー部材５０４と台座５０５との間に隙間が形成され難いようになっている。
【０１９２】
台座５０５のベース部５３０には、カバー部材５０４側と係止される所定数（本実施形態では４つ（２対））の係止部が設けられている。この係止部は、ベース部５３０から正面側に突出し、ベース部５３０の平面方向（短手方向又は長手方向）に延設された形状をなしており、弾性変形する係止片５３５である。係止片５３５は、ベース部５３０から正面側に起立した棒状の軸部５３６と、軸部５３６の側部から垂直方向に延びる係止爪５３７と、を有している。この係止部は、ベース部５３０の長手方向の両端部においてそれぞれ対で設けられ、係止爪５３７が互いに反対方向を向くように形成されている。
【０１９３】
他方、カバー部材５０４では、上述した延設部５１６に台座５０５側の係止部と係止する所定数（本実施形態では４つ（２対））の被係止部が形成されている。この被係止部は、係止片５３５を受ける受け部５１８である。係止片５３５は受け部５１８と接触する部分が面取りされており、カバー部材５０４と台座５０５とを重ね合わせようとする場合、係止片５３５は受け部５１８から離間する方へ押されて弾性変形し、係止爪５３７が受け部３５４よりも正面側に変位すると係止片５３５が元の位置に戻る。このとき、係止片５３５の係止爪５３７が受け部５１８に引っかかり係止される。これによって、カバー部材５０４及び台座５０５が連結される。
【０１９４】
係止片５３５において、軸部５３６の係止爪５３７が突出する側と反対側の付け根部分は、ベース部５３０との接地面積が広めに形成されている。係止片５３５は、受け部５１８と係止される際に、係止爪５３７が突出する側と反対側に反り、当該反対側の付け根に負荷がかかりやすくなっているところ、当該反対側の付け根部分の接地面積を広めに確保することで係止される際に負荷がかかりやすい付け根部分を強化することができ、係止片５３５の破損リスクを低減させることができる。また、付け根部分の接地面積を広めに確保することで、付け根部分に対応する金型の流入面積が広くなるため、金型成形の際に樹脂が流入しやすくなる。
【０１９５】
弾性体５３５は、カバー部材５０４と台座５０５とが連結された場合に、中継基板５０１の裏面（半田面）が台座５０５のベース部５３０と接触しないように離間させるスペーサとしての機能を有している。これにより、中継基板５０１が台座５０５のベース部５３０と接触し難くなり、基板側コネクタ５０２の破損リスクを低減させることができる。また、これにより、基板ボックス５０３に収容された中継基板５０１の背面側への変位が規制される。ゆえに、中継基板５０１は全方向への変位が規制された状態で、基板ボックス５０３に収容されることとなる。
【０１９６】
このように、弾性体５３５は、カバー部材５０４側と係止する機能のほか、スペーサとしての機能、及び中継基板５０１の背面側への変位を規制する機能を兼ね備えているため、これらの機能を別々の構成によって搭載する場合と比較して、構造を簡素化することができる。
【０１９７】
さらに、弾性体５３５の高さ位置は、カバー部材５０４と台座５０５とが連結された場合に、先端とカバー部材５０４の蓋部５１０との間隔が中継基板５０１の厚さよりもやや広めとなるように設定されている。このため、基板ボックス５０３に収容された中継基板５０１の前後方向への変位がわずかに許容される。よって、基板ボックス５０３に対してかかる前後方向の外力が中継基板５０１に伝達され難くなり、中継基板５０１に付与される衝撃が緩和されやすくなる。
【０１９８】
台座５０５の各長辺部には、壁板５３１，５３４に接する支柱５３８，５３９が設けられている。支柱５３８，５３９の高さ位置は、カバー部材５０４と台座５０５とが連結された場合に、弾性体５３５の高さ位置と同程度となるように設定されている。このため、基板ボックス５０３と中継基板５０１との間で伝達される圧力が分散されやすくなっている。
【０１９９】
ちなみに、弾性体５３５は、コネクタ搭載エリアと前後方向に重複しないように配設されている。このため、弾性体５３５が基板側コネクタ５０２に接触し難くなっている。
【０２００】
係止片５３５及び受け部５１８は、カバー部材５０４と台座５０５とが連結された場合に、カバー部材５０４の壁板５１１，５１２，５１３及び台座５０５の壁板５３１，５３２，５３３，５３４によって形成される周壁の内側に配置されるように配設されている。また、カバー部材５０４と台座５０５とが連結された場合、背面側は台座５０５によって覆われ、正面側は中継基板５０１によって塞がれる。つまり、中継基板５０１が基板ボックス５０３に収容された状態では中継装置５００がほぼ密閉された状態となり、この略密閉空間の内側で係止片５３５と受け部５１８とが係止される。つまり、係止片５３５及び受け部５１８（係止部分）が中継装置５００の内側に配置されることとなる。よって、係止片５３５の先端をはがして基板ボックス５０３を分解することが困難になり、ひいては分解の痕跡を残すことなく中継基板５０１を不正な基板に取り換えるような不正行為を抑制することができる。
【０２０１】
カバー部材５０４及び台座５０５はそれぞれ各部位が前後方向（厚さ方向）に重複しないように構成されている。このため、カバー部材５０４及び台座５０５はそれぞれ２種類の金型を重ね合わせて一体的に成形することができる。よって、金型の種類の増大化が抑制されるため金型の製造コストを抑えることができ、細かい金型を使用しないので金型の耐久性を高く維持することができる。その一方で、このように成形した場合には、上記各実施形態と同様に、一体成形の際に形成される抜き孔５４０による問題が生じる。
【０２０２】
この点について、本実施形態においても、カバー部材５０４の延設部５１６にて、カバー部材５０４及び台座５０５が連結された場合に軸部５３６における係止爪５３７が突出している側を沿うようにして、突起部５２０が形成されている。弾性変形する突起部３５５が設けられている。よって、ピンセット等を軸部５３６における係止爪５３７が突出している側にピンセット等を接触させることが突起部５２０により妨害され、係止片５３５を係止爪５３７が突出していない側とは反対側に押し出すことが困難となり、その結果、係止状態を解除させることが困難となる。また、突起部５２０の外側から突起部５２０ごと軸部５３６を押圧することも考えられるが、突起部５２０の外側から押圧された場合には軸部５３６とは反対側に付勢力が働くため、軸部５３６まで圧力が伝達されにくい。よって、痕跡が残らないように中継装置５００を分解し、中継基板５０１を不正な基板と取り換えるような不正行為を抑制することができる。
【０２０３】
また、突起部５２０は受け部５１８（係止爪５３７）から抜き孔５４０に向かって延びるように形成されている。ここで、係止片５３５はベース部５３０との接続部分を支点として回動するため、ベース部５３０から離れた係止爪５３７に近い位置で押圧するほど係止片５３５を動かしやすいところ、突起部５２０は受け部５１８（係止爪５３７）から抜き孔５４０に向かって延びるように形成されているため、係止爪５３７に近い位置での押圧力を効果的に抑制することができる。よって、係止片５３５に対して係止状態を解除するのに十分な押圧を加えることが困難となり、係止状態が解除されることを抑制することができる。
【０２０４】
さらに、突起部５２０は抜き孔５４０に対して嵌り込むように形成されており、これにより抜き孔５４０が塞がれている。よって、抜き孔５４０を通じてピンセットのような異物を中継装置５００内部に侵入させること自体が困難となり、より好適に不正行為を抑制することが可能となる。特に、本実施形態では、突起部５２０が抜き孔５４０を埋めるように構成されているため、突起部５２０が多少内側に押されたとしても抜き孔５４０が塞がれた状態を維持することができ、より一層防犯性が高められる。
【０２０５】
以上説明したように、中継基板５０１はカバー部材５０４の蓋部５１３によって正面側の大部分が覆われており、蓋部５１３と壁板５１３との接続部分の面積が、上記各実施形態における突起と壁板との接続部分の面積よりも広く形成されている。このため、蓋部５１３を折ること自体が困難になっており、中継基板５０１を不正な基板に取り換えるような不正行為がより抑制されるようになっている。
【０２０６】
また、係止片５３５が、カバー部材５０４側と係止する機能のほか、スペーサとしての機能、及び中継基板５０１の背面側への変位を規制する機能を兼ね備えているため、これらの機能を別々の構成によって搭載する場合と比較して、構造を簡素化することができる。
【０２０７】
さらに、上記各実施形態と同様に、以下の構成を有し、効果を奏する。
【０２０８】
まず、係止部分が中継装置５００の内側となるように構成されている。このため、カバー部材５０４の壁板５１１，５１２，５１３及びベース部５１０、台座５０５の壁板５３１，５３２，５３３，５３４及びベース部５３０、中継基板５０１等が障壁となり係止片５３５をはずすことが困難となる。よって、痕跡が残らないように中継装置５００を分解し、中継基板５０１を不正な基板と取り換えるような不正行為を抑制することができる。
【０２０９】
また、カバー部材５０４及び台座５０５は、それぞれ各部位が前後方向（厚さ方向）に重複しないように構成されている。このため、カバー部材５０４及び台座５０５はそれぞれ２種類の金型で挟み込むようにして一体成形することができる。よって、金型の種類の増大化が抑制されるため金型の製造コストを抑えることができ、細かい金型を使用しないので金型の耐久性を高く維持することができる。
【０２１０】
カバー部材５０４の延設部５１６にて、カバー部材５０４及び台座５０５が連結された場合に軸部５３６における係止爪５３７が突出している側を沿うようにして、突起部５２０が形成されている。弾性変形する突起部３５５が設けられている。よって、ピンセット等を軸部５３６における係止爪５３７が突出している側にピンセット等を接触させることが突起部５２０により妨害され、係止片５３５を係止爪５３７が突出していない側とは反対側に押し出すことが困難となり、その結果、係止状態を解除させることが困難となる。また、突起部５２０の外側から突起部５２０ごと軸部５３６を押圧することも考えられるが、突起部５２０の外側から押圧された場合には軸部５３６とは反対側に付勢力が働くため、軸部５３６まで圧力が伝達されにくい。よって、痕跡が残らないように中継装置５００を分解し、中継基板５０１を不正な基板と取り換えるような不正行為を抑制することができる。
【０２１１】
また、突起部５２０は受け部５１８（係止爪５３７）から抜き孔５４０に向かって延びるように形成されている。ここで、係止片５３５はベース部５３０との接続部分を支点として回動するため、ベース部５３０から離れた係止爪５３７に近い位置で押圧するほど係止片５３５を動かしやすいところ、突起部５２０は受け部５１８（係止爪５３７）から抜き孔５４０に向かって延びるように形成されているため、係止爪５３７に近い位置での押圧力を効果的に抑制することができる。よって、係止片５３５に対して係止状態を解除するのに十分な押圧を加えることが困難となり、係止状態が解除されることを抑制することができる。
【０２１２】
さらに、突起部５２０は抜き孔５４０に対して嵌り込むように形成されており、これにより抜き孔５４０が塞がれている。よって、抜き孔５４０を通じてピンセットのような異物を中継装置５００内部に侵入させること自体が困難となり、より好適に不正行為を抑制することが可能となる。特に、本実施形態では、突起部５２０が抜き孔５４０を埋めるように構成されているため、突起部５２０が多少内側に押されたとしても抜き孔５４０が塞がれた状態を維持することができ、より一層防犯性が高められる。
【０２１３】
＜その他の実施形態＞
なお、上述した各実施の形態の記載内容に限定されず、例えば次のように実施してもよい。因みに、以下の別形態の構成を、上記各実施の形態における構成に対して、個別に適用してもよく、相互に組み合わせて適用してもよい。
【０２１４】
（１）係止部及び被係止部は基板ボックス（基板ボックス）の内側で係止されるものであればよい。例えば、上記各実施形態では、係止部を背面側ケース体（台座）のベース部から厚さ方向に突出する構成としたが、長手側壁板から短手方向に突出する構成としてもよいし、短手側壁板から長手方向に突出する構成としてもよい。
【０２１５】
また、上記各実施形態では、背面側ケース体（台座）側に係止部を設け、正面側ケース体（カバー部材）側に被係止部を設けたが、背面側ケース体（台座）側に被係止部を設け、正面側ケース体（カバー部材）側に係止部を設けてもよい。
【０２１６】
（２）第１の実施形態及び第２の実施形態では係止爪が軸部の端部に設けられているが軸部の端部以外に設けるようにしてもよく、第３の実施形態では係止爪が軸部の先端以外に設けられているが軸部の端部に設けるようにしてもよい。
【０２１７】
（３）上記各実施形態では、係止部を係止爪とし、被係止部を係止爪と係止される受け部としたが、別の構成を採用してもよい。例えば、係止部については係止爪に変えて鉤又はフックとし、被係止部については鉤と係止される受け部又はフックと係止される受け部とすることも可能である。
【０２１８】
（４）上記各実施形態では、中継装置について説明したが、別の基板を収容する装置に適用させてもよい。例えば、主制御装置や音声発光制御装置に適用させてもよい。
【０２１９】
（５）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２２０】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与するスロットマシンにも本発明を適用できる。
【０２２１】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０２２２】
＜上記各実施形態から抽出される発明群について＞
以下、上述した各実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０２２３】
＜特徴Ａ群＞
特徴Ａ１．基板を収容する基板ボックス（第１の実施形態では基板ボックス３０３，第２の実施形態では基板ボックス４０３，第３の実施形態では基板ボックス５０３）を備える遊技機であって、
前記基板ボックスは、第１構成部材（第１の実施形態では正面側ケース体３０４又は背面側ケース体３０５、第２の実施形態では正面側ケース体４０４又は背面側ケース体４０５、第３の実施形態ではカバー部材５０４又は台座５０５）及び当該第１構成部材と連結される第２構成部材（第１の実施形態では正面側ケース体３０４又は背面側ケース体３０５、第２の実施形態では正面側ケース体４０４又は背面側ケース体４０５、第３の実施形態ではカバー部材５０４又は台座５０５）を有し、
前記第２構成部材には、前記第１構成部材側と係止される係止部（第１の実施形態では係止片３６５，第２の実施形態では係止片４３２，第３の実施形態では係止片５３５）が設けられ、
前記第１構成部材には、前記係止部と係止される被係止部（第１の実施形態では受け部３５４，第２の実施形態では受け部４２０，第３の実施形態では受け部５１８）が設けられ、
前記係止部と前記被係止部とが係止されることにより、当該第１構成部材と当該第２構成部材とが連結されて前記基板ボックスが構成され、
前記係止部及び前記被係止部は、前記基板ボックスが構成された場合に当該基板ボックスの内側に配設されるように配置されていることを特徴とする遊技機。
【０２２４】
特徴Ａ１によれば、基板ボックスが構成された場合に、係止部及び被係止部が基板ボックスの内側に配設される。つまり、係止部分が基板ボックスの内側に形成される。よって、係止部分に外力を加えて係止状態を解除させようとしても、基板ボックスの外壁が障壁となるため、ピンセットのようなものを係止部分まで到達させることが困難となり、係止状態を解除し難くなる。ゆえに、痕跡が残らないように基板ボックスを分解し、基板を不正なものに取り換えるような不正行為が抑制され、防犯性を高めることができる。
【０２２５】
特徴Ａ２．前記係止部は係止爪を有し、前記被係止部は当該係止爪と係止される受け部を有し、
前記第２構成部材は、当該係止爪部分を成形する際に形成される抜き孔を有し、
前記第１構成部材は、前記基板ボックスが構成された場合に、前記係止部における前記係止爪が突出する側の側部に沿うように配設される突起部を有することを特徴とする特徴Ａ１に記載の遊技機。
【０２２６】
特徴Ａ２では、係止爪を成形する際に形成される抜き孔を有している。このため、この抜き孔を介してピンセットのようなものが基板ボックスの内側に挿入され、係止状態が解除されてしまうことが懸念される。本特徴ではこのような行為を抑制するために、突起部が設けられており、突起部によって係止部における係止爪が突出する側の側部への異物の接触が妨害される。よって、係止部を係止爪が突出する側とは反対側に押し出すことが困難となり、係止状態の解除が抑制される。
【０２２７】
特徴Ａ３．前記突起部は、前記受け部から前記抜き孔に向けて突出していることを特徴とする特徴Ａ２に記載の遊技機。
【０２２８】
特徴Ａ３では、突起部が受け部から抜き孔に向けて突出している。ここで、係止状態を解除させる方法としては、例えば係止部を係止部分の反対側に押圧して係止部を受け部から外す方法が考えられ、この場合、係止片を大きく弾性変形させるためになるべく係止爪に近い位置で押圧することが好ましい。この点、本特徴では、突起部が受け部から抜き孔に向けて突出しているため、係止爪付近において係止部に押圧を加え難くなる。よって、係止状態を解除するのに十分な押圧を係止部に加えることが困難となるため、上記行為が抑制される。ゆえに、抜き孔が形成されてしまう構成においても一層防犯性を高めることができる。
【０２２９】
特徴Ａ４．前記突起部は、前記基板ボックスが構成された場合に前記抜き孔を塞ぐように構成されていることを特徴とする特徴Ａ２又はＡ３に記載の遊技機。
【０２３０】
特徴Ａ４によれば、前記第１構成部材及び前記第２構成部材が連結された場合に、突起部によって抜き孔が塞がれる。よって、抜き孔を介してピンセットのような異物を基板ボックスの内側に侵入させること自体が困難となる。よって、防犯性を高めることができる。
【０２３１】
なお、上記第２構成部材は上記係止部を成形する際に形成される抜き孔を有し、上記第１構成部材は上記基板ボックスが構成された場合に上記抜き孔を塞ぐ突起部を有することを特徴とする特徴Ａ１に記載の遊技機としてもよい。
【０２３２】
特徴Ａ５．前記突起部は、前記第１構成部材及び前記第２構成部材が連結された場合に、前記抜き孔を埋めるように構成されていることを特徴とする特徴Ａ２乃至Ａ４のいずれかに記載の遊技機。
【０２３３】
特徴Ａ５によれば、前記第１構成部材及び前記第２構成部材が連結された場合に、突起部によって抜き孔が埋められる。よって、突起部が多少内側にずらされた場合であっても抜き孔が塞がれた状態を維持することができる。ゆえに、抜き孔を介してピンセットのような異物を基板ボックスの内側に侵入させることがより一層困難となり、防犯性を高めることができる。
【０２３４】
なお、上記第２構成部材は上記係止部を成形する際に形成される抜き孔を有し、上記第１構成部材は上記基板ボックスが構成された場合に上記抜き孔を埋める突起部を有することを特徴とする特徴Ａ１に記載の遊技機としてもよい。
【０２３５】
特徴Ａ６．前記第１構成部材の一端には前記被係止部が設けられ、他端には前記第２構成部材側と係合する第１係合部が設けられ、
前記第２構成部材の一端には前記係止部が設けられ、他端には前記第１構成部材側と係合する第２係合部が設けられ、
前記第１係合部と前記第２係合部とが係合された場合には、前記第１構成部材と前記第２構成部材とが相互に回動可能に連結されるとともに、回動軸方向の位置決めがされることを特徴とする特徴Ａ１乃至Ａ５のいずれかに記載の遊技機。
【０２３６】
特徴Ａ６によれば、回動軸方向の位置決めが容易になる。また、係合される側については係止させる必要がないため、係止させる部分を少なめにすることができる。よって、係止させる際に係止される部分に注意を払いやすくなり、係止部に過度な負荷がかかることによって破損するような事態の発生を抑制することができる。
【０２３７】
特徴Ａ７．前記係止部は係止爪を有し、前記被係止部は当該係止爪と係止される受け部を有し、
前記係止部における前記係止爪は回動軸方向に突出していることを特徴とする特徴Ａ６に記載の遊技機。
【０２３８】
係止部が係止される場合、係止部は受け部によって係止爪の突出方向とは反対方向へ押圧される。このため、係止部には、係止爪が突出する側とは反対側の付け根に負荷がかかる。また、特徴Ａ６のように回動させて連結させる構成においては、第１構成部材と第２構成部材とは弧を描くようにして連結されるため、係止爪の突出方向を径方向外側とした場合又は係止爪の突出方向を径方向内側とした場合には、係止爪の突出方向とは反対側の付け根にかかる負荷が一層重くなるという問題がある。そこで、本特徴では、係止爪を回動軸方向に突出させている。これにより、係止させる場合において受け部から係止部が受ける押圧が径方向と回動軸方向とに分散される。
【０２３９】
特徴Ａ８．前記係止部は、先端の径方向外側部分が面取りされていることを特徴とする特徴Ａ７に記載の遊技機。
【０２４０】
特徴Ａ８によれば、係止部において先端の径方向外側部分が面取りされているため、弧を描くようにして連結される構成においても係止されやすくなっている。
【０２４１】
特徴Ａ９．前記第２構成部材は、板状のベース部を有し、
前記係止部は当該ベース部の面から突出しており、
前記係止部は、前記基板の前記ベース部側への変位を規制するベース部側規制部を有していることを特徴とする特徴Ａ１乃至Ａ８のいずれかに記載の遊技機。
【０２４２】
特徴Ａ９によれば、係止部によって基板のベース部側への変位も規制することができる。このため、基板のベース部側への変位も規制する部位を別途形成する場合と比較して、構造を簡素化することができる。
【０２４３】
特徴Ａ１０．前記第１構成部材は、前記基板の側方４面のうち一部の側面を囲む第１壁部（第１の実施形態では壁板３４１，３４２，３４３、第２の実施形態では壁板４１１，４１２，４１３、第３の実施形態では壁板５１１，５１２，５１３）を有し、
前記第２構成部材は、前記第１壁部とともに前記基板の側方４面を囲む周壁を形成する第２壁部（第１の実施形態では壁板３６１，３６２，３６３、第２の実施形態では壁板、第３の実施形態では壁板５３１，５３２，５３３）を有し、
前記第１構成部材及び前記第２構成部材のうち少なくとも一方は、前記周壁の一端を覆うベース部を有し、
前記周壁の他端には、当該他端側に前記基板が変位することを規制する規制部（第１の実施形態では突起３４４，３４５、第２の実施形態では突起４１４，４１５、第３の実施形態では蓋部５１０）が設けられており、
前記基板ボックスは、前記第１壁部、前記第２壁部、前記ベース部及び前記規制部によって形成されていることを特徴とする特徴Ａ１乃至Ａ９のいずれかに記載の遊技機。
【０２４４】
特徴Ａ１０によれば、基板ボックスが第１壁部、第２壁部、ベース部及び規制部によって形成された遊技機に適用することができる。
【符号の説明】
【０２４５】
１０                              遊技機としてのパチンコ機
３００                            中継装置
３０１                            中継基板
３０２                            基板側コネクタ
３０３                            基板ボックス
３０４                            正面側ケース体
３０５                            背面側ケース体
３０６                            固定部
３２０                            凹部
３２２                            切り欠き部
３４０                            ベース部
３４１，３４２                    短手側壁板
３４３                            長手側壁板
３４４，３４５                    突起
３４６                            凸部
３４７                            切り欠き部
３４８，３４９                    内壁
３５０                            支柱
３５１                            切り欠き部
３５２，３５３                    開口部
３５４                            受け部
３５５                            突起部
３６０                            ベース部
３６１，３６２，３６３，３６４    壁板
３６５                            係止片
３６６                            軸部
３６７                            係止爪
３６８                            抜き孔
３６９                            支柱
４００                            中継装置
４０１                            中継基板
４０２                            基板側コネクタ
４０３                            基板ボックス
４０４                            正面側ケース体
４０５                            背面側ケース体
４１０                            ベース部
４１１，４１２                    短手側壁板
４１３                            長手側壁板
４１４，４１５                    突起
４１６                            柄
４１７                            回動軸
４１８                            開口部
４２０                            受け部
４３０                            ベース部
４３１                            円筒
４３２                            係止片
４３３                            軸部
４３４                            係止爪
４３５                            面取り部
４３６                            抜き孔
５００                            中継装置
５０１                            中継基板
５０２                            基板側コネクタ
５０３                            基板ボックス
５０４                            カバー部材
５０５                            台座
５１０                            蓋部
５１１，５１２                    短手側壁板
５１３                            長手側壁板
５１４，５１５                    間隙部
５１６                            延設部
５１８                            受け部
５２０                            突起部
５３０                            ベース部
５３１，５３２，５３３，５３４    壁板
５３５                            係止片
５３６                            軸部
５３７                            係止爪
５３８，５３９                    支柱
５４０                            抜き孔
【図１】
2016198210.tif 000003
【図２】
2016198210.tif 000004
【図３】
2016198210.tif 000005
【図４】
2016198210.tif 000006
【図５】
2016198210.tif 000007
【図６】
2016198210.tif 000008
【図７】
2016198210.tif 000009
【図８】
2016198210.tif 000010
【図９】
2016198210.tif 000011
【図１１】
2016198210.tif 000012
【図１２】
2016198210.tif 000013
【図１３】
2016198210.tif 000014
【図１４】
2016198210.tif 000015
【図１５】
2016198210.tif 000016
【図１６】
2016198210.tif 000017
【図１７】
2016198210.tif 000018
【図１８】
2016198210.tif 000019
【図１９】
2016198210.tif 000020
【図１０】
2016198210.tif 000021